(57)【特許請求の範囲】
【請求項１】
物理下りリンク制御チャネル（ＰＤＣＣＨ）シグナリングを送信する方法であって、
ユーザ装置（ＵＥ）の第１のサーチ空間の位置及び第２のサーチ空間の位置を決定し、
前記第１のサーチ空間と前記第２のサーチ空間との間に物理的にオーバーラップする領域が存在し、かつ、前記第１のサーチ空間内のキャリア識別フィールド（ＣＩＦ）を有さないＰＤＣＣＨシグナリングの長さが、前記第２のサーチ空間内のＣＩＦを有するＰＤＣＣＨシグナリングの長さと等しい場合、前記物理的にオーバーラップする領域内では、ＣＩＦを有さないＰＤＣＣＨシグナリングのみを前記ＵＥに送信すること
を含む、方法。
【請求項２】
前記第１のサーチ空間は共通サーチ空間（ＣＳＳ）であり、前記第２のサーチ空間はＵＥ固有のサーチ空間（ＵＥＳＳ）である、
請求項１に記載の方法。
【請求項３】
前記ＣＳＳで伝送される前記ＰＤＣＣＨシグナリングの制御チャネル要素（ＣＣＥ）レベルは４又は８であり、であり、前記ＵＥＳＳで伝送される前記ＰＤＣＣＨシグナリングのＣＣＥレベルは４又は８である、
請求項２に記載の方法。
【請求項４】
前記第１のサーチ空間と前記第２のサーチ空間との間の物理的にオーバーラップする領域を、前記第１のサーチ空間の位置及び前記第２のサーチ空間の位置に従って決定すること
を更に含む、請求項１〜３のいずれか１項に記載の方法。
【請求項５】
前記第１のサーチ空間と前記第２のサーチ空間との間の物理的にオーバーラップする領域を決定することは、
前記第１のサーチ空間及び前記第２のサーチ空間が、同じインデックスを有する少なくとも１つの制御チャネル要素（ＣＣＥ）を含むと判定すること
を含み、前記同じインデックスを有する少なくとも１つのＣＣＥが、前記物理的にオーバーラップする領域である、
請求項４に記載の方法。
【請求項６】
物理下りリンク制御チャネル（ＰＤＣＣＨ）シグナリングを受信する方法であって、
第１のサーチ空間と第２のサーチ空間との間に物理的にオーバーラップする領域が存在し、かつ、ユーザ装置（ＵＥ）の前記第１のサーチ空間内のキャリア識別フィールド（ＣＩＦ）を有さないＰＤＣＣＨシグナリングの長さが、前記ＵＥの前記第２のサーチ空間内のＣＩＦを有するＰＤＣＣＨシグナリングの長さと等しい場合、前記物理的にオーバーラップする領域内で、ＣＩＦを有さないＰＤＣＣＨシグナリングのみを受信し、
ＣＩＦを有さないＰＤＣＣＨシグナリングを解析する設定された規則のみに従って、前記ＣＩＦを有さないＰＤＣＣＨシグナリングを解析すること
を含む、方法。
【請求項７】
前記第１のサーチ空間は共通サーチ空間（ＣＳＳ）であり、前記第２のサーチ空間はＵＥ固有のサーチ空間（ＵＥＳＳ）である、
請求項６に記載の方法。
【請求項８】
前記ＵＥの前記第１のサーチ空間の位置及び前記第２のサーチ空間の位置を決定し、
前記第１のサーチ空間と前記第２のサーチ空間との間の物理的にオーバーラップする領域を、前記第１のサーチ空間の位置及び前記第２のサーチ空間の位置に従って決定すること
を更に含む、請求項６又は７に記載の方法。
【請求項９】
前記第１のサーチ空間と前記第２のサーチ空間との間の物理的にオーバーラップする領域を決定することは、
前記第１のサーチ空間及び前記第２のサーチ空間が同じインデックスを有する少なくとも１つの制御チャネル要素（ＣＣＥ）を含むと判定すること
を含み、前記同じインデックスを有する少なくとも１つのＣＣＥが、前記物理的にオーバーラップする領域である、
請求項８に記載の方法。
【請求項１０】
ユーザ装置（ＵＥ）の第１のサーチ空間の位置及び第２のサーチ空間の位置を決定するように構成された、第１の決定モジュールと、
前記第１のサーチ空間と前記第２のサーチ空間との間に物理的にオーバーラップする領域が存在し、かつ、前記第１のサーチ空間内のキャリア識別フィールド（ＣＩＦ）を有さない物理下りリンク制御チャネル（ＰＤＣＣＨ）シグナリングの長さが、前記第２のサーチ空間内のＣＩＦを有するＰＤＣＣＨシグナリングの長さと等しい場合、前記第１の決定モジュールによって決定された、前記ＵＥの前記第１のサーチ空間の位置及び前記第２のサーチ空間の前記位置に従って、前記物理的にオーバーラップする領域内で、ＣＩＦを有さないＰＤＣＣＨシグナリングのみを前記ＵＥに送信するように構成された、第１の送信モジュールと
を備える基地局。
【請求項１１】
前記第１のサーチ空間は共通サーチ空間（ＣＳＳ）であり、前記第２のサーチ空間はＵＥ固有のサーチ空間（ＵＥＳＳ）である、
請求項１０に記載の基地局。
【請求項１２】
前記第１のサーチ空間と前記第２のサーチ空間との間の物理的にオーバーラップする領域が、前記第１のサーチ空間におけるインデックスと前記第２のサーチ空間におけるインデックスとが同じである少なくとも１つの制御チャネル要素（ＣＣＥ）である、
請求項１０又は１１に記載の基地局。
【請求項１３】
第１のサーチ空間と第２のサーチ空間との間に物理的にオーバーラップする領域が存在し、かつ、前記第１のサーチ空間内のキャリア識別フィールド（ＣＩＦ）を有さない物理下りリンク制御チャネル（ＰＤＣＣＨ）シグナリングの長さが、前記第２のサーチ空間内のＣＩＦを有するＰＤＣＣＨシグナリングの長さと等しい場合、前記物理的にオーバーラップする領域内で、基地局によって送信された、ＣＩＦを有さない前記ＰＤＣＣＨシグナリングのみを受信するように構成された、受信モジュールと、
ＣＩＦを有さないＰＤＣＣＨシグナリングを解析する設定された規則のみに従って、前記受信モジュールによって受信されたＰＤＣＣＨシグナリングを解析するように構成された、解析モジュールと
を備えるユーザ装置（ＵＥ）。
【請求項１４】
前記第１のサーチ空間は共通サーチ空間（ＣＳＳ）であり、前記第２のサーチ空間はＵＥ固有のサーチ空間（ＵＥＳＳ）である、
請求項１３に記載のＵＥ。
【請求項１５】
前記第１のサーチ空間と前記第２のサーチ空間との間の物理的にオーバーラップする領域が、前記第１のサーチ空間におけるインデックスと前記第２のサーチ空間におけるインデックスとが同じである少なくとも１つの制御チャネル要素（ＣＣＥ）である、
請求項１３又は１４に記載のＵＥ。
【請求項１６】
請求項１０に記載の基地局と、請求項１３に記載のＵＥとを備える、通信システム。
【発明の詳細な説明】
【技術分野】
【０００１】
本出願は、２０１０年２月１１日に中国専利局に出願された中国特許出願第２０１０１０１１１６４３．５号、２０１０年３月２９日に中国専利局に出願された中国特許出願第２０１０１０１４２１６０．１号、及び、２０１０年４月３０日に中国専利局に出願された中国特許出願第２０１０１０１６５４３８．７号（全て、ＰＤＣＣＨシグナリングを送信及び受信する方法、基地局、ＵＥ、及びシステム）」と題されている）の優先権を主張するものであり、これら出願はそれらの全体が参照によって本明細書中に援用される。
【０００２】
本発明は、通信技術に関し、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、略してＰＤＣＣＨ）シグナリングを送信及び受信する方法、基地局、ユーザ装置（Ｕｓｅｒ  Ｅｑｕｉｐｍｅｎｔ、略してＵＥ）、及びシステムに関する。
【背景技術】
【０００３】
ロングタームエボリューションアドバンスト（Ｌｏｎｇ  Ｔｅｒｍ  Ｅｖｏｌｕｔｉｏｎ−Ａｄｖａｎｃｅｄ、略してＬＴＥ−Ａ）システムにはキャリアアグリゲーション（Ｃａｒｒｉｅｒ  Ａｇｇｒｅｇａｔｉｏｎ、略してＣＡ）技術が導入されている。すなわち、より高いピークレート、及びサービス要求を満たすために、１つのＵＥに対して複数のコンポーネントキャリア（Ｃｏｍｐｏｎｅｎｔ  Ｃａｒｒｉｅｒ、略してＣＣ）がスケジュールされる。
【０００４】
ＣＡ技術に基づかないシステムでは、１個の物理下りリンク制御チャネル（Ｐｈｙｓｉｃａｌ  Ｄｏｗｎｌｉｎｋ  Ｃｏｎｔｒｏｌ  Ｃｈａｎｎｅｌ、略してＰＤＣＣＨ）シグナリングによって、１つのキャリアのみのリソースがスケジュールされることが可能である。ＣＡ技術に基づくシステムでは、データを伝送する複数のキャリアをＵＥが集約（アグリゲート）する場合、ＵＥは、複数個の対応するＰＤＣＣＨシグナリングを必要とする。
【０００５】
ＬＴＥ−Ａシステムでは、リソースは、２つのモードでスケジュールされることが可能である。１つのモードは、同一ＣＣスケジューリング（Ｓａｍｅ−ＣＣ  Ｓｃｈｅｄｕｌｉｎｇ、略してＳＣＳ）であり、これは、あるキャリア上のＰＤＣＣＨシグナリングが、当該キャリアのリソース、及び当該キャリアに対応する上りリンクキャリアのリソースのみをスケジュールするために使用されることが可能であることを意味する。もう１つのモードは、クロスＣＣスケジューリング（Ｃｒｏｓｓ−ＣＣ  Ｓｃｈｅｄｕｌｉｎｇ、略してＣＣＳ）であり、これは、あるキャリア上のＰＤＣＣＨシグナリングが、当該キャリア又はその他のキャリアのリソースをスケジュールするために使用されることが可能であることを意味する。ＣＣＳモードでは、どのキャリアのリソースがＰＤＣＣＨシグナリングによって現在スケジュールされているかを示すために、ＵＥ固有のＰＤＣＣＨシグナリングに、キャリア識別フィールド（ＣＩＦ）が追加される必要がある。ただし、複数のＵＥによって共有されるＰＤＣＣＨシグナリングでは、ＬＴＥ−ＡシステムにおけるＵＥと、ＬＴＥシステムにおけるＵＥとが共存できるように、ＣＩＦは追加されない。
【０００６】
基地局は、ＵＥによって現在適用されるリソーススケジューリングモードがＣＣＳであるかＳＣＳであるかを示す、準静的無線リソース制御（ＲＲＣ）シグナリングを、ＵＥに送信する。ＵＥがＲＲＣアイドル状態又はＲＲＣ接続状態においてリソースをスケジュールするためにＳＣＳモードを使用する場合、ＰＤＣＣＨシグナリングにはＣＩＦは含まれない。ＵＥが接続状態においてリソースをスケジュールするためにＣＣＳモードを使用する場合、ＰＤＣＣＨシグナリングにはＣＩＦが含まれる。基地局が準静的ＲＲＣシグナリングをＵＥに送信した後、ＵＥが準静的ＲＲＣシグナリングを受信した場合、ＵＥは準静的ＲＲＣシグナリング内で示されたリソーススケジューリングモードに従って、ＰＤＣＣＨシグナリングを検出及び解析する。しかし、基地局は準静的ＲＲＣシグナリングを送信した後、ＵＥによって返されたＲＲＣ接続再設定完了シグナリング（ＲＲＣ  Ｃｏｎｎｅｃｔｉｏｎ  Ｒｅｃｏｎｆｉｇｕｒａｔｉｏｎ  Ｃｏｍｐｌｅｔｅ  ｓｉｇｎａｌｉｎｇ）を基地局が受信するまで、ＵＥが準静的ＲＲＣシグナリングを適正に受信したかどうかわからず、基地局におけるスケジューリングは、準静的ＲＲＣシグナリングを送信してから、ＲＲＣ接続再設定完了シグナリングを受信するまでの期間中、不確定である。
【発明の概要】
【発明が解決しようとする課題】
【０００７】
従来技術では、以下の問題が存在する。基地局におけるスケジューリングは、準静的ＲＲＣシグナリングを送信してから、ＵＥによって返されたＲＲＣ接続再設定完了シグナリングを受信するまでの期間中、不確定であり、これは、ＵＥがシグナリングを不適正に解析することを引き起こす。
【課題を解決するための手段】
【０００８】
本発明の実施形態は、基地局におけるスケジューリングの不確定性を克服するための、ＰＤＣＣＨシグナリングを送信する方法、基地局，ＵＥ、及びシステムを提供する。
【０００９】
本発明の実施形態は、ＵＥがＰＤＣＣＨシグナリングを不適正に解析するのを防止するための、ＰＤＣＣＨシグナリングを受信する方法、基地局，ＵＥ、及びシステムを提供する。
【００１０】
本発明の一実施形態による、ＰＤＣＣＨシグナリングを送信する方法は、
ＵＥの第１のサーチ空間の位置及び第２のサーチ空間の位置を決定し、
第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内では、ＣＩＦを有さないＰＤＣＣＨシグナリングのみをＵＥに送信することを含む。
【００１１】
本発明の一実施形態による、ＰＤＣＣＨシグナリングを送信する別の方法は、
ＵＥの、第１のサーチ空間の位置及び第２のサーチ空間の位置を決定し、
第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、ＵＥによって送信されたＲＲＣ接続再設定完了シグナリングを受信した後、物理的にオーバーラップする領域内では、ＣＩＦを有するＰＤＣＣＨシグナリングのみをＵＥに送信することを含む。
【００１２】
本発明の一実施形態による、ＰＤＣＣＨシグナリングを送信する別の方法は、
ＵＥの第１のサーチ空間の位置及び第２のサーチ空間の位置を決定し、
第１のサーチ空間内の第１のＰＤＣＣＨシグナリングの長さが、第２のサーチ空間内の第２のＰＤＣＣＨシグナリングの長さと等しく、かつ、第１のサーチ空間と第２のサーチ空間との間に物理的にオーバーラップする領域が存在する場合、ＲＲＣシグナリングをＵＥに送信してから、ＵＥによって返されたＲＲＣ接続再設定完了シグナリングを受信するまでの時間間隔内に、物理的にオーバーラップする領域内では、第３のＰＤＣＣＨシグナリング又は第４のＰＤＣＣＨシグナリングを、ＵＥに送信することを含み、ここで、第３のＰＤＣＣＨシグナリングはキャリア識別フィールド（ＣＩＦ）を有さないＰＤＣＣＨシグナリングであり、第４のＰＤＣＣＨシグナリングはＣＩＦを有するＰＤＣＣＨシグナリングであり、第１のＰＤＣＣＨシグナリングはＣＩＦを有さないＰＤＣＣＨシグナリングであり、第２のＰＤＣＣＨシグナリングはＣＩＦを有するＰＤＣＣＨシグナリングであり、第３のＰＤＣＣＨシグナリングの長さは第４のＰＤＣＣＨシグナリングの長さと等しくなく、第３のＰＤＣＣＨシグナリングの長さは第１のＰＤＣＣＨシグナリングの長さと異なり、第４のＰＤＣＣＨシグナリングの長さは第１のＰＤＣＣＨシグナリングの長さと異なる。
【００１３】
本発明の一実施形態による、ＰＤＣＣＨシグナリングを受信する方法は、
第１のサーチ空間と第２のサーチ空間との間に物理的にオーバーラップする領域が存在し、かつ、ＵＥの第１のサーチ空間内のＣＩＦを有さないＰＤＣＣＨシグナリングの長さが、ＵＥの第２のサーチ空間内のＣＩＦを有するＰＤＣＣＨシグナリングの長さと等しい場合、物理的にオーバーラップする領域内で、ＣＩＦを有さないＰＤＣＣＨシグナリングのみを受信し、ＣＩＦを有さないＰＤＣＣＨシグナリングを解析する設定された規則のみに従って、ＣＩＦを有さないＰＤＣＣＨシグナリングを解析することを含む。
【００１４】
本発明の一実施形態による、ＰＤＣＣＨシグナリングを受信する別の方法は、
第１のサーチ空間と第２のサーチ空間との間に物理的にオーバーラップする領域が存在し、かつ、ＵＥの第１のサーチ空間内のＣＩＦを有さないＰＤＣＣＨシグナリングの長さが、ＵＥの第２のサーチ空間内のＣＩＦを有するＰＤＣＣＨシグナリングの長さと等しい場合、ＵＥが基地局からのＲＲＣシグナリングを適正に解析した後、物理的にオーバーラップする領域内で、ＣＩＦを有するＰＤＣＣＨシグナリングを受信し、ＣＩＦを有するＰＤＣＣＨシグナリングを解析する設定された規則のみに従って、ＣＩＦを有するＰＤＣＣＨシグナリングを解析することを含む。
【００１５】
本発明の一実施形態による基地局は、
ＵＥの第１のサーチ空間の位置及び第２のサーチ空間の位置を決定するように構成された、第１の決定モジュールと、
第１の決定モジュールが、ＵＥの第１のサーチ空間の位置及び第２のサーチ空間の位置を決定した後、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内では、ＣＩＦを有さないＰＤＣＣＨシグナリングのみをＵＥに送信するように構成された、第１の送信モジュールとを含む。
【００１６】
本発明の一実施形態による別の基地局は、
ＵＥの第１のサーチ空間の位置及び第２のサーチ空間の位置を決定するように構成された、第２の決定モジュールと、
第２の決定モジュールがＵＥの第１のサーチ空間の位置及び第２のサーチ空間の位置を決定した後、第１のサーチ空間内の第１のＰＤＣＣＨシグナリングの長さが、第２のサーチ空間内の第２のＰＤＣＣＨシグナリングの長さと等しい場合、ＲＲＣシグナリングをＵＥに送信してからＵＥによって返されたＲＲＣ接続再設定完了シグナリングを受信するまでの時間間隔内に、第１のサーチ空間と第２のサーチ空間との間の物理的にオーバーラップする領域内では、第３のＰＤＣＣＨシグナリング又は第４のＰＤＣＣＨシグナリングをＵＥに送信するように構成された、第２の送信モジュールとを含み、ここで、第３のＰＤＣＣＨシグナリングはＣＩＦを有さないＰＤＣＣＨシグナリングであり、第４のＰＤＣＣＨシグナリングはＣＩＦを有するＰＤＣＣＨシグナリングであり、第１のＰＤＣＣＨシグナリングはＣＩＦを有さないＰＤＣＣＨシグナリングであり、第２のＰＤＣＣＨシグナリングはＣＩＦを有するＰＤＣＣＨシグナリングであり、第３のＰＤＣＣＨシグナリングの長さは第４のＰＤＣＣＨシグナリングの長さと等しくなく、第３のＰＤＣＣＨシグナリングの長さは第１のＰＤＣＣＨシグナリングの長さと異なり、第４のＰＤＣＣＨシグナリングの長さは第１のＰＤＣＣＨシグナリングの長さと異なる。
【００１７】
本発明の一実施形態による別の基地局は、
ＵＥの第１のサーチ空間の位置、及び第２のサーチ空間の位置を決定するように構成された、第３の決定モジュールと、
第３の決定モジュールがＵＥの第１のサーチ空間の位置及び第２のサーチ空間の位置を決定した後、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、ＵＥによって送信されたＲＲＣ接続再設定完了シグナリングを受信した後、物理的にオーバーラップする領域内では、ＣＩＦを有するＰＤＣＣＨシグナリングのみをＵＥに送信するように構成された、第３の送信モジュールとを含む。
【００１８】
本発明の一実施形態によるＵＥは、
第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内で、基地局によって送信された、ＣＩＦを有さないＰＤＣＣＨシグナリングを受信するように構成された、受信モジュールと、
ＣＩＦを有さないＰＤＣＣＨシグナリングを解析する設定された規則のみに従って、受信モジュールによって受信されたＰＤＣＣＨシグナリングを解析するように構成された、解析モジュールと、を含む。
【００１９】
本発明の一実施形態による別のＵＥは、
第１のサーチ空間と第２のサーチ空間との間に物理的にオーバーラップする領域が存在し、かつ、ＵＥの第１のサーチ空間内のＣＩＦを有さないＰＤＣＣＨシグナリングの長さが、ＵＥの第２のサーチ空間内のＣＩＦを有するＰＤＣＣＨシグナリングの長さと等しい場合、ＵＥが基地局からのＲＲＣ設定シグナリングを適正に解析した後、物理的にオーバーラップする領域内で、ＣＩＦを有するＰＤＣＣＨシグナリングを受信するように構成された、第２の受信モジュールと、
ＣＩＦを有するＰＤＣＣＨシグナリングを解析する設定された規則のみに従って、第２の受信モジュールによって受信された、ＣＩＦを有するＰＤＣＣＨシグナリングを解析するように構成された、第２の解析モジュールと、を含む。
【００２０】
本発明の一実施形態による通信システムは、前述の基地局とＵＥとを含み、基地局は第１の決定モジュールと第１の送信モジュールとを含み、ＵＥは受信モジュールと解析モジュールとを含む。
【００２１】
本発明の一実施形態による別の通信システムは、ＵＥと、前述の第２の決定モジュール及び第２の送信モジュールを含む基地局と、を含む。
【発明の効果】
【００２２】
本発明の実施形態による、ＰＤＣＣＨシグナリングを送信及び受信する方法、基地局、ＵＥ、及びシステムを使用すれば、基地局のスケジューリングの不確定性が防止され、ＵＥはＰＤＣＣＨシグナリングを受信したら、ＰＤＣＣＨシグナリングがＣＩＦを含むかどうかを判断することができ、シグナリングを適正に解析することができる。
【００２３】
本発明の技術的解決法をより明確にするために、本発明の実施形態の説明に関与する添付の図面について、以下に説明する。明らかに、以下に説明する添付の図面は、本発明のいくつかの実施形態に関与するものであり、当業者は、そのような添付の図面から、創造的な活動を行うことなく、その他の図面を導き出すことが可能である。
【図面の簡単な説明】
【００２４】
【図１】本発明の一実施形態による、ＰＤＣＣＨシグナリングを送信する方法のフローチャートである。
【図２】本発明の別の実施形態による、ＰＤＣＣＨシグナリングを送信する方法のフローチャートである。
【図３】本発明の別の実施形態による、ＰＤＣＣＨシグナリングを送信する方法のフローチャートである。
【図４】本発明の別の実施形態による、ＰＤＣＣＨシグナリングを送信する方法のフローチャートである。
【図５】本発明の一実施形態による、ＰＤＣＣＨシグナリングを受信する方法のフローチャートである。
【図６】本発明の別の実施形態による、ＰＤＣＣＨシグナリングを受信する方法のフローチャートである。
【図７】本発明の別の実施形態による、ＰＤＣＣＨシグナリングを受信する方法のフローチャートである。
【図８】本発明の一実施形態による基地局の概略構成図である。
【図９】本発明の別の実施形態による基地局の概略構成図である。
【図１０】本発明の一実施形態によるＵＥの概略構成図である。
【発明を実施するための形態】
【００２５】
本発明の目的、技術的解決法、及び利点をより明確にするために、本発明の技術的解決法について、実施形態及び添付の図面を参照して、以下に、より詳細に説明する。実施形態は明らかに本発明の実施形態の全てではなく、一部を例示するものにすぎない。本明細書中で提供される実施形態から、当業者によって、いかなる創造的な活動も行うことなく導き出されることが可能な、その他の全ての実施形態は、本発明の保護範囲内に入る。
【００２６】
ロングタームエボリューション（Ｌｏｎｇ  Ｔｅｒｍ  Ｅｖｏｌｕｔｉｏｎ、略してＬＴＥ）などの通信システムでは、ｅＮＢなどの基地局が、１つのキャリア上のリソースをＵＥに対してスケジュールする。基地局がリソースをスケジュールする最小時間単位は、長さ１ミリ秒のサブフレームである。スケジュールされたＵＥが、ＰＤＣＣＨシグナリングの長さ、及びサーチ空間の制御チャネル要素（Ｃｏｎｔｒｏｌ  Ｃｈａｎｎｅｌ  Ｅｌｅｍｅｎｔ、略してＣＣＥ）レベルに従って、ＰＤＣＣＨのサーチ空間内のＰＤＣＣＨシグナリングを復調及び復号した後、スケジュールされたＵＥは、スケジュールされたＵＥの無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、略してＲＮＴＩ）を使用して、スクランブル解析及び巡回冗長検査（Ｃｙｃｌｉｃ  Ｒｅｄｕｎｄａｎｃｙ  Ｃｈｅｃｋ、略してＣＲＣ）を実行して、現在検出されたＰＤＣＣＨシグナリングが、スケジュールされたＵＥのＰＤＣＣＨシグナリングであるかどうかを、検査及び判定する。スケジュールされたＵＥが、現在検出されたＰＤＣＣＨシグナリングがそのＵＥのＰＤＣＣＨシグナリングであると判定した場合、ＵＥは更にフォローアップ動作を実行する。ＰＤＣＣＨシグナリングは、物理データチャネル（上りリンク物理データチャネル又は下りリンク物理データチャネル）を示す、時間−周波数リソース割り当て情報を運ぶ。
【００２７】
サーチ空間は、論理的に連続したＣＣＥのセットである。ＣＣＥは、ＰＤＣＣＨシグナリングを構成する最小単位である。ＵＥのＰＤＣＣＨシグナリングは、４つのＣＣＥレベル（１、２、４、及び８）をそれぞれ使用して伝送されてもよい。異なるＣＣＥレベルは、異なる符号化レートを有する。それぞれの異なるＣＣＥレベルにおけるＰＤＣＣＨシグナリングは、異なるサーチ空間を有するが、物理的には、ＰＤＣＣＨシグナリングに関する異なるサーチ空間は相互にオーバーラップしてもよい。すなわち、異なるサーチ空間は、インデックスの一部又は全てのインデックスが同じであるＣＣＥを含んでもよい。
【００２８】
サーチ空間は、共通サーチ空間（Ｃｏｍｍｏｎ  Ｓｅａｒｃｈ  Ｓｐａｃｅ、ＣＳＳ）、及びＵＥ固有のサーチ空間（ＵＥ−ｓｐｅｃｉｆｉｃ  Ｓｅａｒｃｈ  Ｓｐａｃｅ、ＵＥＳＳ）に分類される。ＣＳＳ及びＵＥＳＳは異なるサーチ空間であるが、物理的にオーバーラップしてもよい。すなわち、異なるサーチ空間は、インデックスの一部又は全てのインデックスが同じであるＣＣＥを含んでもよい。ＣＳＳは全てのＵＥが検出する必要がある空間である。ＣＳＳは１６個のＣＣＥを含み、ＣＳＳ内では、ＣＣＥレベルが４又は８のＰＤＣＣＨシグナリングのみが伝送されることが可能である。ＣＣＥレベル４に対応する、ＣＳＳ内でのサーチの数は、４であり、ＣＣＥレベル８に対応する、ＣＳＳ内でのサーチの数は、２である（４＊４＝８＊２＝１６）。各ＵＥは固有のＵＥＳＳを有する。各ＵＥＳＳは、固有のＲＮＴＩと、サブフレーム番号とによって決定される。ＵＥＳＳ内のＣＣＥレベルは、１、２、４、又は８であり、ＣＣＥレベル１、２、４、及び８に対応する、ＵＥＳＳ内でのサーチの数は、それぞれ、６、６、２、及び２である。
【００２９】
ＰＤＣＣＨシグナリングの下りリンク制御情報（ＤＣＩ）フォーマットは、スケジューリングデータの伝送モード及びリソース割り当てモードなどによって異なる。例えば、ＤＣＩフォーマットは、ＤＣＩフォーマット０、ＤＣＩフォーマット１Ａ、ＤＣＩフォーマット１Ｂ、ＤＣＩフォーマット１Ｃ、ＤＣＩフォーマット１Ｄ、ＤＣＩフォーマット１、ＤＣＩフォーマット２、ＤＣＩフォーマット２Ａ、ＤＣＩフォーマット３、及びＤＣＩフォーマット３Ａを含んでもよい。一般に、異なるフォーマットのＰＤＣＣＨシグナリングの長さは異なり、ＰＤＣＣＨシグナリングをスクランブルするためのＲＮＴＩも異なってもよい。いくつかのシナリオでは、異なるＤＣＩフォーマットのＰＤＣＣＨシグナリングは同じ長さを有してもよい。
【００３０】
複数のＵＥによって共有されるスケジューリング情報のためのＰＤＣＣＨシグナリングは、伝送のためにＣＳＳ内に配置されてもよく、ＰＤＣＣＨシグナリングをスクランブルするために使用されるＲＮＴＩも、複数のＵＥによって共有されるＲＮＴＩであってもよい。例えば、複数のＵＥによって共有されるＲＮＴＩは、ページングＲＮＴＩ（ｐａｇｉｎｇ  ＲＮＴＩ）、システム情報ＲＮＴＩ（ｓｙｓｔｅｍ  ｉｎｆｏｒｍａｔｉｏｎ  ＲＮＴＩ）、ランダムアクセスチャネル応答ＲＮＴＩ（ＲＡＣＨ  Ｒｅｓｐｏｎｓｅ  ＲＮＴＩ）、又は伝送電力制御（Ｔｒａｎｓｍｉｓｓｉｏｎ  Ｐｏｗｅｒ  Ｃｏｎｔｒｏｌ、略してＴＰＣ）関連ＲＮＴＩであってもよい。
【００３１】
ＵＥ固有のＲＮＴＩを使用することによってスクランブルされたＰＤＣＣＨシグナリングは、一般に、伝送のためにＵＥＳＳ内に配置される（例えば、半永続スケジューリングセルＲＮＴＩ（Ｓｅｍｉ−Ｐｅｒｓｉｓｔｅｎｔ  Ｓｃｈｅｄｕｌｉｎｇ−Ｃｅｌｌ−ＲＮＴＩ、略してＳＰＳ−Ｃ−ＲＮＴＩ）、又はセルＲＮＴＩ（Ｃｅｌｌ−ＲＮＴＩ、略してＣ−ＲＮＴＩ）を使用してスクランブルされたＰＤＣＣＨシグナリング等）。
【００３２】
ＤＣＩフォーマット１ＡのＰＤＣＣＨシグナリングはＣＳＳ内で伝送されてもよく、このＰＤＣＣＨシグナリングは、ページングＲＮＴＩ、システム情報ＲＮＴＩ、又はＲＡＣＨ応答ＲＮＴＩを使用することによってスクランブルされる。ＤＣＩフォーマット１ＡのＰＤＣＣＨシグナリングはＵＥＳＳ内で伝送されてもよく、このＰＤＣＣＨシグナリングは、セルＲＮＴＩ又はＳＰＳ−Ｃ−ＲＮＴＩを使用することによってスクランブルされる。
【００３３】
ＤＣＩフォーマット１ＡのＰＤＣＣＨシグナリングの長さは、ＤＣＩフォーマット３、ＤＣＩフォーマット３Ａ、及びＤＣＩフォーマット０のＰＤＣＣＨシグナリングの長さと同じである。ＤＣＩフォーマット１ＡのＰＤＣＣＨシグナリングと、ＤＣＩフォーマット０のＰＤＣＣＨシグナリングとは、ヘッダ識別ビットを使用することによって区別される。ＤＣＩフォーマット１ＡのＰＤＣＣＨシグナリング、及びＤＣＩフォーマット０のＰＤＣＣＨシグナリングと、ＤＣＩフォーマット３のＰＤＣＣＨシグナリング、及びＤＣＩフォーマット３ＡのＰＤＣＣＨシグナリングとは、異なるＲＮＴＩを使用してスクランブルすることによって区別される。
【００３４】
セルＲＮＴＩを使用することによってスクランブルされた、ＤＣＩフォーマット１ＡのＰＤＣＣＨシグナリング、及び、ＳＰＳ−Ｃ−ＲＮＴＩを使用することによってスクランブルされた、ＤＣＩフォーマット１ＡのＰＤＣＣＨシグナリングは、ＵＥＳＳ又はＣＳＳ内で伝送されてもよく、これは、ＰＤＣＣＨシグナリングが検出される回数を増加させない。ＵＥがＰＤＣＣＨシグナリングを検出する回数は、シグナリングの長さに関連する。シグナリング長が１タイプ更に増えることは、１系列（シリーズ）に対して実行される検出の回数を増加させる。ＣＳＳ内で伝送される、ＤＣＩフォーマット３のＰＤＣＣＨシグナリング、又はＤＣＩフォーマット３ＡのＰＤＣＣＨシグナリングは、常に検出される必要があり、これら２つのタイプのＰＤＣＣＨシグナリングの長さは、ＤＣＩフォーマット０のＰＤＣＣＨシグナリング、及びＤＣＩフォーマット１ＡのＰＤＣＣＨシグナリングの長さと等しい。従って、ＵＥがＰＤＣＣＨシグナリングを検出する回数は増加しない。
【００３５】
基地局は、データ伝送モード及びリソース割り当てモードに従って、準静的ＲＲＣシグナリングを介して、ＵＥのために７つの伝送モードのうちの１つを設定する。各伝送モードにおいて、ＵＥは、少なくとも２つのＤＣＩフォーマットのＰＤＣＣＨシグナリングを検出する必要がある。１つのＤＣＩフォーマットのＰＤＣＣＨシグナリングは、ＵＥに現在割り当てられている伝送モードに関連し、もう１つのＤＣＩフォーマットのＰＤＣＣＨシグナリングは、ＵＥに現在割り当てられている伝送モードに関連しない、ＤＣＩフォーマット０のＰＤＣＣＨシグナリング及びＤＣＩフォーマット１ＡのＰＤＣＣＨシグナリングである。すなわち、ＵＥは、ＵＥに割り当てられている伝送モードに関係なく、ＤＣＩフォーマット１ＡのＰＤＣＣＨシグナリング及びＤＣＩフォーマット０のＰＤＣＣＨシグナリングを検出する必要がある。例えば、基地局が伝送モード３、すなわち、開ループマルチ入出力（Ｍｕｌｔｉｐｌｅ  Ｉｎｐｕｔ  Ｍｕｌｔｉｐｌｅ  Ｏｕｔｐｕｔ、略してＭＩＭＯ）伝送モードをＵＥに割り当てた場合、ＵＥはＤＣＩフォーマット２ＡのＰＤＣＣＨシグナリングを検出する必要があり、かつ、ＵＥは、ＤＣＩフォーマット０のＰＤＣＣＨシグナリング、及びＤＣＩフォーマット１ＡのＰＤＣＣＨシグナリングも検出する必要があり、ここで、ＤＣＩフォーマット２ＡのＰＤＣＣＨシグナリングが伝送モード３に関連する。基地局が伝送モード４、すなわち、閉ループＭＩＭＯ伝送モードをＵＥに割り当てた場合、ＵＥはＤＣＩフォーマット２のＰＤＣＣＨシグナリングを検出する必要があり、かつ、ＵＥは、ＤＣＩフォーマット０のＰＤＣＣＨシグナリング、及びＤＣＩフォーマット１ＡのＰＤＣＣＨシグナリングも検出する必要があり、ここで、ＤＣＩフォーマット２のＰＤＣＣＨシグナリングが伝送モード４に関連する。
【００３６】
想定シナリオＡ：基地局が、現在のリソーススケジューリングモードをＵＥに通知するために使用される準静的ＲＲＣシグナリングを送信してから、ＵＥによって返されたＲＲＣ接続再設定完了シグナリングを受信するまでの期間中、及び、基地局が、ＵＥによって返されたＲＲＣ接続再設定完了シグナリングを受信した後、現在のキャリアのＣＳＳ内の、ＣＩＦを有さないＤＣＩフォーマット０、又はＣＩＦを有さないＤＣＩフォーマット１Ａの、ＰＤＣＣＨシグナリングの長さが、現在のキャリアのＵＥＳＳ内の、別のフォーマットの、ＣＩＦを有するＰＤＣＣＨシグナリングの長さと等しい可能性があり、後者のＰＤＣＣＨシグナリングは、現在のキャリアの帯域幅より小さい帯域幅の、別のキャリアをスケジュールするために使用される。ＣＳＳとＵＥＳＳとの間に物理的にオーバーラップする領域が存在する場合、ＵＥはシグナリングを不適正に解析し、物理的にオーバーラップする領域内で検出されたＰＤＣＣＨシグナリングが、現在のキャリア上のリソースをスケジュールするために使用される、又は、現在のキャリアの帯域幅より小さい帯域幅の別のキャリア上のリソースをスケジュールするために使用されると、誤って判断する。
【００３７】
例えば、１個のシグナリングは、現在のキャリアＣＣ１のＣＳＳ内の、ＣＩＦを有さないＤＣＩフォーマット０、又はＣＩＦを有さないＤＣＩフォーマット１Ａの、ＰＤＣＣＨシグナリングであり、もう１個のシグナリングは、ＣＣ１のＵＥＳＳ内の、別のフォーマットで、かつ、ＣＣ１の帯域幅より小さい帯域幅のキャリアＣＣ２をスケジュールするために使用される、ＣＩＦを有するＰＤＣＣＨシグナリングである。スケジュールされるキャリアＣＣ２の帯域幅は、キャリアＣＣ１の帯域幅より小さいため、ＰＤＣＣＨシグナリング内で必要とされるリソース割り当てビットの数はより少なく、従って、現在のキャリアＣＣ１のＣＳＳ内の、ＣＩＦを有さないＤＣＩフォーマット０、又はＣＩＦを有さないＤＣＩフォーマット１Ａの、ＰＤＣＣＨシグナリングの長さは、ＣＣ１のＵＥＳＳ内の、別のフォーマットで、かつ、ＣＣ１の帯域幅より小さい帯域幅のキャリアＣＣ２をスケジュールするために使用される、ＣＩＦを有するＰＤＣＣＨシグナリングの長さと等しい可能性がある。ＣＳＳとＵＥＳＳとの間に物理的にオーバーラップする領域が存在する場合、ＵＥはシグナリングを不適正に解析し、物理的にオーバーラップする領域内で検出されたＰＤＣＣＨシグナリングが、ＣＣ１内のリソースをスケジュールするために使用される、又は、ＣＣ２内のリソースをスケジュールするために使用されると、誤って判断する可能性がある。
【００３８】
下りリンクデータを例に取ると、ＵＥがＰＤＣＣＨシグナリングを不適正に解析すると、ＵＥは間違ったキャリア上の下りリンクデータを受信する。続いて、ＵＥは、否定応答（ＮＡＣＫ）メッセージを基地局にフィードバックする可能性があり、基地局はデータを再送する可能性がある。しかし、ＵＥは依然としてＰＤＣＣＨシグナリングを適正に解析する方法がわからず、依然としてデータを適正に受信することができない。基地局が上限数の再送を完了するまで、ＵＥのバッファは不適正なデータを記憶し続け、これは、ＵＥの、ハイブリッド自動再送要求（ＨＡＲＱ）バッファ汚染をもたらす。
【００３９】
前述の問題の解決法について、以下に詳細に説明する。本発明の実施形態では、例えば、ＣＣＳデータスケジューリングモードにおいて、ＣＳＳ内で伝送されるＤＣＩフォーマット１Ａ又はＤＣＩフォーマット０のＰＤＣＣＨシグナリングはＣＩＦを含まず、かつ、ＤＣＩフォーマット１Ａ又はＤＣＩフォーマット０のそのＰＤＣＣＨシグナリングは、ＰＤＣＣＨシグナリングの現在のキャリア上のリソース、又はそのキャリアに対応する上りリンクキャリア上のリソースのみをスケジュールするために使用されることが可能であると仮定されるか、あるいは、ＣＣＳデータスケジューリングモードにおいて、特定のＵＥＳＳ内で伝送されるＰＤＣＣＨシグナリングはＣＩＦを含まず、かつ、そのＰＤＣＣＨシグナリングは、ＰＤＣＣＨシグナリングの現在のキャリア上のリソース、又はそのキャリアに対応する上りリンクキャリア上のリソースのみをスケジュールするために使用されることが可能であると仮定される。その他のシナリオも含まれてもよい。
【００４０】
図１は、本発明の一実施形態による、ＰＤＣＣＨシグナリングを送信する方法のフローチャートである。この方法は、以下のステップを含む。
【００４１】
ステップ１０１：基地局は、第１のサーチ空間の位置及び第２のサーチ空間の位置を決定する。第１のサーチ空間内で伝送されるＰＤＣＣＨシグナリングはＣＩＦを含まなくてもよく、かつ、第１のサーチ空間はＣＳＳ及び／又はＵＥＳＳであってもよく、第２のサーチ空間内で伝送されるＰＤＣＣＨシグナリングはＣＩＦを含んでもよく、かつ、第２のサーチ空間はＵＥＳＳであってもよい。
【００４２】
第１のサーチ空間は、ＣＳＳ及びＵＥＳＳのうちの少なくとも１つであってもよい。
【００４３】
ステップ１０２：第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、基地局は、物理的にオーバーラップする領域内では、ＣＩＦを有さないＰＤＣＣＨシグナリングをＵＥに送信する。
【００４４】
基地局は、異なるＰＤＣＣＨシグナリングのサーチ空間がオーバーラップしている可能性があるということを（すなわち、同じインデックスを有するＣＣＥの一部又は全てが、物理的にオーバーラップする領域である）、異なるサーチ空間が、インデックスの一部又は全てが同じであるＣＣＥを含むと判定することによって、決定することができる。
【００４５】
この方法は、
第１のサーチ空間と第２のサーチ空間との間の物理的にオーバーラップする領域を、第１のサーチ空間の位置、及び第２のサーチ空間の位置に従って決定することを更に含んでもよい。
【００４６】
一例として、第１のサーチ空間と第２のサーチ空間との間の物理的にオーバーラップする領域を決定することは、
第１のサーチ空間及び第２のサーチ空間が、同じインデックスを有する少なくとも１つのＣＣＥを含むと判定することを含み、ここで、同じインデックスを有する少なくとも１つのＣＣＥが物理的にオーバーラップする領域である。
【００４７】
基地局によって送信されるＰＤＣＣＨシグナリングは、リソース割り当て情報と、その他の制御情報（キャリアアクティベーション又はディアクティベーション情報、及び物理ランダムアクセスプロセスをトリガするための情報など）とを含むことができる。
【００４８】
一例として、ユーザ装置のサーチ空間内の前述の物理的にオーバーラップする領域以外の物理的領域内で、基地局は、従来技術に従って、ＰＤＣＣＨシグナリングを送信してもよいが、これについてはここでは詳細に説明しない。
【００４９】
図１に示す実施形態は、２つのサーチ空間の間の物理的にオーバーラップする領域内では、サーチ空間のうちの１つのＰＤＣＣＨシグナリングが伝送されることに限定し、これは、本質的に、サーチ空間直交化方法である。２つのサーチ空間がオーバーラップしないようにすることで、等しい長さ（すなわち、第１のサーチ空間内のＣＩＦを有さないＰＤＣＣＨシグナリングの長さが、第２のサーチ空間内のＣＩＦを有するＰＤＣＣＨシグナリングの長さと等しい）によって引き起こされる、基地局スケジューリングの不確定性の問題を解決する、別のサーチ空間直交化方法が適用されてもよい。例えば、ＣＳＳがＵＥＳＳと物理的にオーバーラップする場合、ＣＳＳの位置は不変のままとされ、ＣＳＳ及びＵＥＳＳのＣＣＥサイズを変更せずに、ＵＥＳＳとＣＳＳとの間のオーバーラップを防止するように、具体的には、ＵＥＳＳとＣＳＳとを直列に配置するように、設定パラメータを設定する。
【００５０】
基地局は、ＣＩＦを有さないＰＤＣＣＨシグナリングをＲＲＣ設定の前及び後にスケジューリングのために使用するため、ＲＲＣ設定の前のＰＤＣＣＨシグナリングのスケジューリングモードは、ＲＲＣ設定の後のスケジューリングモードと一致し、従って、スケジューリングの不確定性が防止される。ＵＥは、ＣＩＦを有さないＰＤＣＣＨシグナリングを、ＲＲＣ設定の前及び後に解析のために使用するため、基地局上でのＰＤＣＣＨシグナリングの解析は、ＵＥ上でのＰＤＣＣＨシグナリングの解析と一致し、従って、解析エラーが防止される。例えば、ＵＥがＲＲＣ設定シグナリングを適正に受信しなかった場合、ＵＥは依然としてＣＩＦを有さないＰＤＣＣＨシグナリングを解析する規則に従ってシグナリングを解析し、基地局が新たに設定されたＣＩＦを有するＰＤＣＣＨシグナリングを使用して、スケジューリングを実行した場合、ＵＥはシグナリングを不適正に解析する。ＵＥが、ＲＲＣ設定シグナリングを適正に受信したものの、基地局が依然としてＣＩＦを有さないＰＤＣＣＨシグナリングを使用してスケジューリングを実行した場合、ＵＥはＣＩＦを有するＰＤＣＣＨシグナリングを解析する規則に従ってシグナリングを解析するので、解析は不適正なものとなる。
【００５１】
従って、本発明の実施形態は、物理的にオーバーラップする領域内ではＣＩＦを有さないＰＤＣＣＨシグナリングのみを送信することによって、不確定性を防止し、ＵＥがシグナリングを不適正に解析するのを防止する。
【００５２】
図５は、本発明の一実施形態による、ＰＤＣＣＨシグナリングを受信する方法のフローチャートである。この方法は、以下のステップを含む。
【００５３】
ステップ５０１：第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、ＵＥは、物理的にオーバーラップする領域内では、基地局によって送信されたＣＩＦを有さないＰＤＣＣＨシグナリングを受信する。
【００５４】
ステップ５０２：ＵＥは、設定された規則に従って、ＰＤＣＣＨシグナリングを解析する。設定された規則は、基地局及びＵＥが、ＰＤＣＣＨシグナリングの各フィールドの所定の意味に従って、ＰＤＣＣＨシグナリングを解析することを指定してもよい。
【００５５】
基地局によって送信されたＰＤＣＣＨシグナリングがＣＩＦを含まない場合、ＵＥがＰＤＣＣＨシグナリングを受信した後、ＵＥはＣＩＦを有さないＰＤＣＣＨシグナリングを解析する規則に従って、ＰＤＣＣＨシグナリングを解析することができる。解析の特定の規則は、ＵＥと基地局とによって予め折衝（ニゴシエート）される。
【００５６】
前述の実施形態において、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、基地局は、ＣＩＦを有さないＰＤＣＣＨシグナリングをＵＥに送信する必要がある。このようにして、ＣＩＦを有さないＰＤＣＣＨシグナリングのみがＵＥに送信され、ＵＥでは、物理的にオーバーラップする領域内で受信されたＰＤＣＣＨシグナリングがＣＩＦを含まず、ＰＤＣＣＨシグナリング内で割り当てられるリソースが、確かにそのＰＤＣＣＨシグナリングを運ぶために使用されたキャリアに由来するリソースであることがわかるので、ＵＥがシグナリングを不適正に解析することが防止される。
【００５７】
例えば、基地局が現在のリソーススケジューリングモードをＵＥに通知するために使用される準静的ＲＲＣシグナリングを送信してから、ＵＥによって返されたＲＲＣ接続再設定完了シグナリングを受信するまでの期間中、及び、基地局がＵＥによって返されたＲＲＣ接続再設定完了シグナリングを受信した後に、ＰＤＣＣＨシグナリングを運ぶために使用される、ＵＥにおける現在のキャリアのＣＳＳ内の、ＤＣＩフォーマット０、又はＤＣＩフォーマット１Ａの、ＣＩＦを有さないＰＤＣＣＨシグナリングの長さが、現在のキャリア上の、ＵＥのＵＥＳＳ内の、別のフォーマットの、ＣＩＦを有するＰＤＣＣＨシグナリングの長さと等しい場合（ここで、ＣＩＦを有するＰＤＣＣＨシグナリングは、現在のキャリア上の帯域幅より小さい帯域幅の、別のキャリアをスケジュールするために使用される）、かつ、ＣＳＳとＵＥＳＳとの間に物理的にオーバーラップする領域が存在する場合、基地局は、物理的にオーバーラップする領域内ではＣＩＦを有さないＰＤＣＣＨシグナリングを送信し、そのＰＤＣＣＨシグナリングは、ＵＥに固有のリソース割り当て情報を運ぶ。一実施形態では、ＵＥと基地局とは、物理的にオーバーラップする領域内で送信される全てのＰＤＣＣＨシグナリングが、ＣＩＦを含まないことを、予め折衝しておくことができる。従って、ＰＤＣＣＨシグナリングを受信した後、ＵＥでは、ＰＤＣＣＨシグナリングがＣＩＦを含まず、ＰＤＣＣＨシグナリング内で割り当てられるリソースが、確かにそのＰＤＣＣＨシグナリングを運ぶために使用されたキャリアに由来するリソースであることがわかるので、ＵＥがシグナリングを不適正に解析することが防止される。
【００５８】
図１、及び図５に示す実施形態において、第１のサーチ空間はＣＳＳであってもよく、第２のサーチ空間はＵＥＳＳであり、第１のサーチ空間及び第２のサーチ空間のＣＣＥレベルは４又は８であってもよい。あるいは、第１のサーチ空間及び第２のサーチ空間は、ＵＥの異なるＣＣをスケジュールするために使用される２つのＵＥＳＳを含む。
【００５９】
上述したように、ＵＥは、異なるＰＤＣＣＨシグナリングが伝送されるサーチ空間がオーバーラップしている可能性があるということを（すなわち、同じインデックスを有するＣＣＥの一部又は全てが、物理的にオーバーラップする領域である）、異なるサーチ空間が、インデックスの一部又は全てが同じであるＣＣＥを含むと判定することによって、決定してもよい。
【００６０】
前述の方法は、
ＵＥの、第１のサーチ空間の位置及び第２のサーチ空間の位置を決定し、
第１のサーチ空間と第２のサーチ空間との間の物理的にオーバーラップする領域を、第１のサーチ空間の位置及び第２のサーチ空間の位置に従って決定することを更に含んでもよい。
【００６１】
一例として、第１のサーチ空間と第２のサーチ空間との間の物理的にオーバーラップする領域を決定することは、
第１のサーチ空間及び第２のサーチ空間が、同じインデックスを有する少なくとも１つのＣＣＥを含むと判定することを含み、ここで、同じインデックスを有する少なくとも１つのＣＣＥが物理的にオーバーラップする領域である。
【００６２】
ＵＥは、第１のサーチ空間内のＣＩＦを有さないＰＤＣＣＨシグナリングの長さが、第２のサーチ空間内のＣＩＦを有するＰＤＣＣＨシグナリングの長さと等しいことを認識する。例えば、上述したように、基地局は、データ伝送モード及びリソース割り当てモードに従って、準静的ＲＲＣシグナリングを介して、ＵＥのために７つの伝送モードのうちの１つを設定する。ＵＥは、ＰＤＣＣＨシグナリングの長さを取得するために、少なくとも２つのＤＣＩフォーマットのＰＤＣＣＨシグナリングを検出する必要がある。
【００６３】
図１に示す実施形態において、第１のサーチ空間がＣＳＳであり、第２のサーチ空間がＵＥＳＳである場合、第２のサーチ空間に対する制約は強くない。その理由は、第２のサーチ空間内において、ＣＣＥレベル４又は８におけるＰＤＣＣＨシグナリングの長さが、ＣＳＳ内のＣＩＦを有さないＰＤＣＣＨシグナリングの長さと等しい場合でさえ、これは、基地局が、物理的にオーバーラップする領域内でＰＤＣＣＨシグナリングを伝送することをできないようにするが、基地局は依然として、物理的にオーバーラップする領域内でＣＣＥレベル１又は２におけるＰＤＣＣＨシグナリングを伝送することが可能だからである。ＣＣＥレベル４におけるＰＤＣＣＨシグナリングの長さが、ＣＳＳ内のＣＩＦを有さないＰＤＣＣＨシグナリングの長さと等しい場合でさえ、これは、基地局が、物理的にオーバーラップする領域内でＰＤＣＣＨシグナリングを伝送することをできないようにするが、基地局は依然として、ＣＳＳとオーバーラップしない第２のサーチ空間内で、ＣＣＥレベル８におけるＰＤＣＣＨシグナリングが伝送される限り、ＣＣＥレベル８におけるＰＤＣＣＨシグナリングを伝送してもよい。
【００６４】
前述の実施形態において、基地局がＲＲＣシグナリングを送信してから、ＵＥによって返されたＲＲＣ接続再設定完了シグナリングを受信するまでの期間中、基地局はＵＥの受信モードを明確に認識し、これにより、ＵＥが基地局によって伝送された制御シグナリングを不適正に解析するという問題が解決される。
【００６５】
加えて、第１のサーチ空間のスケジューリングの自由度が完全に確保され、すなわち、第１のサーチ空間に対してスケジューリングの制約は課されず、これにより、ＲＲＣ再設定期間中の、基地局のスケジューリングの不確定性が、最大限克服される。
【００６６】
図２は、本発明の別の実施形態による、ＰＤＣＣＨシグナリングを送信する方法のフローチャートである。この方法は、以下のステップを含む。
【００６７】
ステップ２０１：基地局は、第１のサーチ空間の位置及び第２のサーチ空間の位置を決定する。
【００６８】
ステップ２０２：第１のサーチ空間内の第１のＰＤＣＣＨシグナリングの長さが、第２のサーチ空間内の第２のＰＤＣＣＨシグナリングの長さと等しく、かつ、第１のサーチ空間と第２のサーチ空間との間に物理的にオーバーラップする領域が存在する場合、基地局は、無線リソース制御（ＲＲＣ）シグナリングをＵＥに送信してから、ＵＥによって返されたＲＲＣ接続再設定完了シグナリングを受信するまでの時間間隔内に、物理的にオーバーラップする領域内では、第３のＰＤＣＣＨシグナリング又は第４のＰＤＣＣＨシグナリングをＵＥに送信し、ここで、第３のＰＤＣＣＨシグナリングはキャリア識別フィールド（ＣＩＦ）を有さないＰＤＣＣＨシグナリングであり、第４のＰＤＣＣＨシグナリングはＣＩＦを有するＰＤＣＣＨシグナリングであり、ここで、第１のＰＤＣＣＨシグナリングはＣＩＦを有さないＰＤＣＣＨシグナリングであり、第２のＰＤＣＣＨシグナリングはＣＩＦを有するＰＤＣＣＨシグナリングであり、第３のＰＤＣＣＨシグナリングの長さは第４のＰＤＣＣＨシグナリングの長さと等しくなく、第３のＰＤＣＣＨシグナリングの長さは第１のＰＤＣＣＨシグナリングの長さと異なり、第４のＰＤＣＣＨシグナリングの長さは第１のＰＤＣＣＨシグナリングの長さと異なる。ＵＥによって返されたＲＲＣ接続再設定完了シグナリングを受信した後、基地局は、物理的にオーバーラップする領域内で、第２のＰＤＣＣＨシグナリング、すなわち、ＣＩＦを有するＰＤＣＣＨシグナリングを、ＵＥに送信する。第３のＰＤＣＣＨシグナリング又は第４のＰＤＣＣＨシグナリングは、第１のＰＤＣＣＨシグナリング及び第２のＰＤＣＣＨシグナリング以外のタイプの、ＰＤＣＣＨシグナリングであってもよい。第１のＰＤＣＣＨシグナリング及び第２のＰＤＣＣＨシグナリング以外のタイプのＰＤＣＣＨシグナリングは、ＵＥによって不適正に解析されないＰＤＣＣＨシグナリングである。例えば、各伝送モード下で、現在、２つのフォーマットのＰＤＣＣＨシグナリングが存在すると仮定すると、キャリアを越えてスケジュールされるキャリアに対応する、特定の伝送モード下での２つのタイプの（ＣＩＦを有する）ＰＤＣＣＨシグナリングのうち、一方のタイプのＰＤＣＣＨシグナリングの長さが、ＰＤＣＣＨのキャリアのＣＳＳ内の特定のフォーマットのＣＩＦを有さないＰＤＣＣＨシグナリングの長さと等しいと仮定すると、ｅＮＢは、他方のタイプのＰＤＣＣＨシグナリングを現在のモード下で送信してもよく、他方のタイプのＰＤＣＣＨシグナリングの長さは、ＰＤＣＣＨのキャリアのＣＳＳ内の特定のフォーマットのＣＩＦを有さないＰＤＣＣＨシグナリングの長さと等しくない。この場合、ＵＥは、ＰＤＣＣＨシグナリングを不適正に解析しない。あるいは、２つのタイプのＵＥ固有のＣＩＦを有さないＰＤＣＣＨシグナリングが、ＰＤＣＣＨのキャリアのＣＳＳ内に存在してもよく、一方のタイプはＵＥによって不適正に解析され得る。一方のタイプが、ＵＥによって不適正に解析される場合、基地局は、他方のタイプのＣＩＦを有さないＰＤＣＣＨシグナリングをＵＥに送信することができる。
【００６９】
図６は、本発明の別の実施形態による、ＰＤＣＣＨシグナリングを受信する方法のフローチャートである。この方法は、以下のステップを含む。
【００７０】
ステップ６０１：第１のサーチ空間内のＣＩＦを有さないＰＤＣＣＨシグナリングの長さが、第２のサーチ空間内のＣＩＦを有するＰＤＣＣＨシグナリングの長さと等しく、かつ、第１のサーチ空間と第２のサーチ空間との間に物理的にオーバーラップする領域が存在する場合、ＵＥがＲＲＣシグナリングを適正に解析した後、ＵＥは、物理的にオーバーラップする領域内で、基地局によって送信された、ＣＩＦを有するＰＤＣＣＨシグナリングを受信する。
【００７１】
ステップ６０２：ＵＥは、ＣＩＦを有するＰＤＣＣＨシグナリングを解析する設定された規則のみに従って、ＣＩＦを有するＰＤＣＣＨシグナリングを解析する。
【００７２】
基地局によって送信されたＰＤＣＣＨシグナリングがＣＩＦを含む場合、ＵＥがＰＤＣＣＨシグナリングを受信した後、ＵＥは、ＣＩＦを有するＰＤＣＣＨシグナリングを解析する規則に従って、ＰＤＣＣＨシグナリングを解析することができる。ＵＥが使用する、解析の特定の規則は、ＵＥと基地局とによって予め折衝される。
【００７３】
前述の実施形態において、第１のサーチ空間内のＣＩＦを有さないＰＤＣＣＨシグナリングの長さが、第２のサーチ空間内のＣＩＦを有するＰＤＣＣＨシグナリングの長さと等しく、かつ、第１のサーチ空間と第２のサーチ空間との間に物理的にオーバーラップする領域が存在する場合、基地局は、基地局がＲＲＣシグナリングを送信してから、ＵＥによって返されたＲＲＣ接続再設定完了シグナリングを基地局が受信するまでの時間間隔内に、ＣＩＦを有するＰＤＣＣＨシグナリングを送信することができない。ＵＥは、ＲＲＣ設定シグナリングを適正に受信しない可能性があり、従って、受信されたＰＤＣＣＨシグナリングがＣＩＦを含まないとみなす可能性があるので、解析エラーがもたらされる。従って、ＵＥによって返されたＲＲＣ接続再設定完了シグナリングを受信した後、基地局は、ＣＩＦを有するＰＤＣＣＨシグナリングを、ＵＥに送信することができるが、基地局がＲＲＣシグナリングを送信してから、ＵＥによって返されたＲＲＣ接続再設定完了シグナリングを基地局が受信するまでの時間間隔内では、基地局は、第１のＰＤＣＣＨシグナリング及び第２のＰＤＣＣＨシグナリング以外のタイプのＰＤＣＣＨシグナリングのみを、ＵＥに送信することができる。ＵＥ側に関しては、ＲＲＣ設定シグナリングを適正に解析した後、ＵＥは、基地局によって送信されたＣＩＦを有するＰＤＣＣＨシグナリングのみを受信する。
【００７４】
図２に示す実施形態において、第１のサーチ空間はＣＳＳであってもよく、第２のサーチ空間はＵＥＳＳであり、第１のサーチ空間及び第２のサーチ空間のＣＣＥレベルは４又は８である。あるいは、第１のサーチ空間及び第２のサーチ空間は、ＵＥの異なるＣＣをスケジュールするために使用される２つのＵＥＳＳを含む。
【００７５】
第１のサーチ空間がＣＳＳであり、第２のサーチ空間がＵＥＳＳである場合、図２に示す方法が適用可能であり、これは、第１のサーチ空間内でＰＤＣＣＨシグナリングが検査される回数を増加させない。加えて、第２のサーチ空間のスケジューリングの自由度は、第１のサーチ空間のスケジューリングの自由度より大きい（第２のサーチ空間は、クロスキャリアスケジューリング（ｃｒｏｓｓ−ｃａｒｒｉｅｒ  ｓｃｈｅｄｕｌｉｎｇ）を実施することが可能であるが、第１のサーチ空間は、同一キャリアスケジューリング（ｓａｍｅ−ｃａｒｒｉｅｒ  ｓｃｈｅｄｕｌｉｎｇ）のみを許可するため）。従って、この解決法は、第２のサーチ空間のスケジューリングの自由度を完全に確保し、第２のサーチ空間に対していかなるスケジューリングの制約も課さない。
【００７６】
図３は、本発明の別の実施形態による、ＰＤＣＣＨシグナリングを送信する方法のフローチャートである。この方法は、以下のステップを含む。
【００７７】
ステップ３０１：基地局は、第１のサーチ空間の位置及び第２のサーチ空間の位置を決定する。
【００７８】
ステップ３０２：第１のサーチ空間内のＣＩＦを有さない第１のＰＤＣＣＨシグナリングの長さが、第２のサーチ空間内のＣＩＦを有する第２のＰＤＣＣＨシグナリングの長さと等しく、かつ、第１のサーチ空間と第２のサーチ空間との間に物理的にオーバーラップする領域が存在する場合、基地局は、基地局がＲＲＣシグナリングをＵＥに送信してから、ＵＥによって返されたＲＲＣ接続再設定完了シグナリングを受信するまでの時間間隔内に、物理的にオーバーラップする領域内では、第１のＰＤＣＣＨシグナリング及び第２のＰＤＣＣＨシグナリング以外のタイプのＰＤＣＣＨシグナリングを、ＵＥに送信する。
【００７９】
第１のＰＤＣＣＨシグナリング及び第２のＰＤＣＣＨシグナリング以外のタイプのＰＤＣＣＨシグナリングは、ＣＩＦを有さない第３のＰＤＣＣＨシグナリング又はＣＩＦを有する第４のＰＤＣＣＨシグナリングであってもよい。ＣＩＦを有さない第３のＰＤＣＣＨシグナリングの長さは、ＣＩＦを有する第４のＰＤＣＣＨシグナリングの長さと等しくない。
【００８０】
図３に示す実施形態は、以下のシナリオＢにおいて存在する問題を解決することが可能である。
【００８１】
想定シナリオＢ：２つのキャリアをスケジュールするためのＰＤＣＣＨシグナリングが、１つのキャリア上にそれぞれの独立したＵＥＳＳを有し、２つのＵＥＳＳの間に物理的にオーバーラップする領域が存在する。この場合、基地局が現在のリソーススケジューリングモードをＵＥに通知するために使用される準静的ＲＲＣシグナリングを送信してから、ＵＥによって返されたＲＲＣ接続再設定完了シグナリングを受信するまでの期間内に、スケジューリングの不確定性の問題が発生する。例えば、送信の前、ＵＥのリソーススケジューリングモードはＳＣＳであり、基地局によってＵＥに伝送されるＰＤＣＣＨシグナリングはＣＩＦを含まない。ＵＥが、現在のリソーススケジューリングモードをＵＥに通知するために使用される準静的ＲＲＣシグナリングを受信した後、ＵＥのリソーススケジューリングモードはＣＣＳに変更される。基地局がＵＥによって返されたＲＲＣ接続再設定完了シグナリングを受信しない場合、基地局はＵＥに送信するＰＤＣＣＨシグナリングがＣＩＦを含む必要があるかどうかわからないので、基地局においてスケジューリングの不確定性がもたらされる。ＵＥが基地局からのＲＲＣ設定シグナリングを適正に受信し、リソーススケジューリングモードをＣＣＳに変更した後、上記の２つのＵＥＳＳ内のＰＤＣＣＨシグナリングにＣＩＦが追加されてもよく、異なるキャリアをスケジュールするためのＰＤＣＣＨシグナリングが自動的に区別され、ＣＩＦを有する１個のＰＤＣＣＨシグナリングの長さが、ＣＩＦを有する別の１個のＰＤＣＣＨシグナリングの長さと等しい場合でも、前述の問題は発生しない可能性がある。
【００８２】
シナリオＢにおいて、基地局が、準静的ＲＲＣシグナリングを送信してから、ＵＥによって返されたＲＲＣ接続再設定完了シグナリングを受信するまでの時間間隔内に、ＣＩＦを有するＰＤＣＣＨシグナリング又はＣＩＦを有さないＰＤＣＣＨシグナリングのみを送信する場合、問題は依然として存在する。基地局が準静的ＲＲＣシグナリングを送信してから、ＵＥによって返されたＲＲＣ接続再設定完了シグナリングを受信するまでの時間間隔内に、基地局がＣＩＦを有さないＰＤＣＣＨシグナリングのみを送信し、しかし、ＵＥが準静的ＲＲＣシグナリングを適正に解析した場合、ＵＥは受信されたＰＤＣＣＨシグナリングがＣＩＦを含むとみなすので、解析エラーがもたらされる。基地局が準静的ＲＲＣシグナリングを送信してから、ＵＥによって返されたＲＲＣ接続再設定完了シグナリングを受信するまでの時間間隔内に、基地局がＣＩＦを有するＰＤＣＣＨシグナリングのみを送信し、しかし、ＵＥが準静的ＲＲＣシグナリングを適正に解析していない場合、ＵＥは受信されたＰＤＣＣＨシグナリングがＣＩＦを含まないとみなすので、解析エラーがもたらされる。
【００８３】
図３に示す実施形態が適用される場合、すなわち、基地局が、物理的にオーバーラップする領域内では、第１のＰＤＣＣＨシグナリング及び第２のＰＤＣＣＨシグナリング以外のタイプのＰＤＣＣＨシグナリングを送信する場合、基地局でのスケジューリングの不確定性が防止され、ＵＥ上での解析エラーが防止される。
【００８４】
基地局が、ＵＥによって返されたＲＲＣ接続再設定完了シグナリングを受信した後、ＵＥのリソーススケジューリングモードはＣＣＳに変更される。ＣＣＳモード下でのいかなるＰＤＣＣＨシグナリングもＣＩＦを含むため、ＵＥの２つのＵＥＳＳの間に物理的にオーバーラップする領域が存在する場合でさえ、基地局はスケジューリングについて不確定ではなく、ＵＥはシグナリングを不適正に解析しないようにできる。
【００８５】
図３に示す実施形態において、第１のサーチ空間及び第２のサーチ空間は、ＵＥの異なるＣＣをスケジュールするために使用される２つのＵＥＳＳを含む。
【００８６】
図３に示す方法を使用して、基地局はＵＥのいかなる活動も指定せずに、すなわち、ＵＥの動作に影響を及ぼすことなく、ＵＥがシグナリングを不適正に解析することを防止する。この方法は単純であり、動作は簡単である。
【００８７】
一実施形態では、ＵＥはＣＣ１及びＣＣ２という２つのＣＣを有し、ＰＤＣＣＨシグナリングはＣＣ１上で伝送され、ＣＣ１はサーチ空間ＣＳＳ、サーチ空間ＵＥＳＳ１、及びサーチ空間ＵＥＳＳ２を含み、ＣＣ１上のＣＳＳ内のＰＤＣＣＨシグナリングはＣＣ１をスケジュールするために使用され、このＰＤＣＣＨシグナリングはＣＩＦを含まず、ＣＣ１上のＵＥＳＳ１内のＰＤＣＣＨシグナリングはＣＣ１をスケジュールするために使用され、このＰＤＣＣＨシグナリングはＣＩＦを含まず、ＣＣ１上のＵＥＳＳ２内のＰＤＣＣＨシグナリングはキャリアに跨ってＣＣ２をスケジュールするために使用され、このＰＤＣＣＨシグナリングはＣＩＦを含む。
【００８８】
一シナリオでは、ＵＥＳＳ１内のＣＩＦを有さないＰＤＣＣＨシグナリングの長さが、ＵＥＳＳ２内のＣＩＦを有するＰＤＣＣＨシグナリングの長さと等しく、かつ、ＵＥＳＳ１とＵＥＳＳ２との間に物理的にオーバーラップする領域が存在する場合、基地局は、物理的にオーバーラップする領域内では、ＣＩＦを有さないＰＤＣＣＨシグナリングをＵＥに送信し、ＣＳＳ内のＣＩＦを有さないＰＤＣＣＨシグナリングの長さが、ＵＥＳＳ２内のＣＩＦを有するＰＤＣＣＨシグナリングの長さと等しく、かつ、ＣＳＳとＵＥＳＳ２との間に物理的にオーバーラップする領域が存在する場合、基地局は、物理的にオーバーラップする領域内では、ＣＩＦを有するＰＤＣＣＨシグナリングをＵＥに送信し、従って、ＵＥＳＳ１内のＣＩＦを有さないＰＤＣＣＨシグナリングの長さが、ＵＥＳＳ２内のＣＩＦを有するＰＤＣＣＨシグナリングの長さと等しく、かつ、ＣＳＳ内のＣＩＦを有するＰＤＣＣＨシグナリングの長さとも等しく、かつ、ＵＥＳＳ１とＵＥＳＳ２とＣＳＳとの間に物理的にオーバーラップする領域が存在する場合、ＵＥＳＳ１とＵＥＳＳ２とＣＳＳとの間の物理的にオーバーラップする領域内で、スケジューリングの不確定性の問題が存在する。
【００８９】
或いは、ＵＥＳＳ１内のＣＩＦを有さないＰＤＣＣＨシグナリングの長さが、ＵＥＳＳ２内のＣＩＦを有するＰＤＣＣＨシグナリングの長さと等しく、かつ、ＵＥＳＳ１とＵＥＳＳ２との間に物理的にオーバーラップする領域が存在する場合、基地局は、物理的にオーバーラップする領域内では、ＣＩＦを有するＰＤＣＣＨシグナリングをＵＥに送信し、ＣＳＳ内のＣＩＦを有さないＰＤＣＣＨシグナリングの長さが、ＵＥＳＳ２内のＣＩＦを有するＰＤＣＣＨシグナリングの長さと等しく、かつ、ＣＳＳとＵＥＳＳ２との間に物理的にオーバーラップする領域が存在する場合、基地局は、物理的にオーバーラップする領域内では、ＣＩＦを有するＰＤＣＣＨシグナリングをＵＥに送信し、従って、ＵＥＳＳ１内のＣＩＦを有さないＰＤＣＣＨシグナリングの長さが、ＵＥＳＳ２内のＣＩＦを有するＰＤＣＣＨシグナリングの長さと等しく、かつ、ＣＳＳ内のＣＩＦを有さないＰＤＣＣＨシグナリングの長さとも等しく、かつ、ＵＥＳＳ１とＵＥＳＳ２とＣＳＳとの間に物理的にオーバーラップする領域が存在する場合、ＵＥＳＳ１とＵＥＳＳ２とＣＳＳとの間の物理的にオーバーラップする領域内で、スケジューリングの不確定性の問題が存在する。
【００９０】
前述のケースに基づいて、本発明の一実施形態では、基地局は、ＵＥＳＳ１とＵＥＳＳ２とＣＳＳとの間の物理的にオーバーラップする領域内では、ＣＩＦを有さないＰＤＣＣＨシグナリングのみをＵＥに送信するか、又は、ＣＩＦを有するＰＤＣＣＨシグナリングのみをＵＥに送信する。
【００９１】
基地局が、ＵＥＳＳ１とＵＥＳＳ２とＣＳＳとの間の物理的にオーバーラップする領域内で、ＣＩＦを有さないＰＤＣＣＨシグナリングのみをＵＥに送信する場合、データはＰＤＣＣＨのＣＣ１上に最初に配置されるので、ＣＣ１のスケジューリングの優先が保証され、ＲＲＣ再設定の間のスケジューリングの円滑な移行が保証される。
【００９２】
基地局が、ＵＥＳＳ１とＵＥＳＳ２とＣＳＳとの間の物理的にオーバーラップする領域内で、ＣＩＦを有するＰＤＣＣＨシグナリングのみをＵＥに送信する場合、基地局は、キャリアに跨ってスケジュールされるＣＣ２のＵＥＳＳのスケジューリングの自由度を保証する。
【００９３】
本発明の一実施形態による、ＰＤＣＣＨシグナリングを送信する方法は、
ＵＥの、第１のサーチ空間の位置、第２のサーチ空間の位置、及び第３のサーチ空間の位置を決定し、
第１のサーチ空間と第２のサーチ空間と第３のサーチ空間との間に物理的にオーバーラップする領域が存在し、第１のサーチ空間内のＣＩＦを有さないＰＤＣＣＨシグナリングの長さが、第３のサーチ空間内のＣＩＦを有さないＰＤＣＣＨシグナリングの長さと等しく、かつ、第２のサーチ空間内のＣＩＦを有するＰＤＣＣＨシグナリングの長さと等しい場合、物理的にオーバーラップする領域内では、ＣＩＦを有するＰＤＣＣＨシグナリングのみ、又は、ＣＩＦを有さないＰＤＣＣＨシグナリングのみをＵＥに送信することを含む。
【００９４】
本発明の一実施形態による、ＰＤＣＣＨシグナリングを受信する方法は、以下のステップを含む。
【００９５】
第１のサーチ空間と第２のサーチ空間と第３のサーチ空間との間に物理的にオーバーラップする領域が存在し、第１のサーチ空間内のＣＩＦを有さないＰＤＣＣＨシグナリングの長さが、第３のサーチ空間内のＣＩＦを有さないＰＤＣＣＨシグナリングの長さと等しく、かつ、第２のサーチ空間内のＣＩＦを有するＰＤＣＣＨシグナリングの長さと等しい場合、ＵＥは、物理的にオーバーラップする領域内で、基地局によって送信された、ＣＩＦを有するＰＤＣＣＨシグナリング、又は、ＣＩＦを有さないＰＤＣＣＨシグナリングを受信する。
【００９６】
ＵＥは、設定された規則に従って、ＰＤＣＣＨシグナリングを解析する。
【００９７】
基地局は、
ＵＥの、第１のサーチ空間の位置、第２のサーチ空間の位置、及び第３のサーチ空間の位置を決定するように構成された、第６の決定モジュールと、
第１のサーチ空間と第２のサーチ空間と第３のサーチ空間との間に物理的にオーバーラップする領域が存在し、第１のサーチ空間内のＣＩＦを有さないＰＤＣＣＨシグナリングの長さが、第３のサーチ空間内のＣＩＦを有さないＰＤＣＣＨシグナリングの長さと等しく、かつ、第２のサーチ空間内のＣＩＦを有するＰＤＣＣＨシグナリングの長さと等しい場合、物理的にオーバーラップする領域内では、ＣＩＦを有するＰＤＣＣＨシグナリングのみ、又は、ＣＩＦを有さないＰＤＣＣＨシグナリングのみを、ＵＥに送信するように構成された、第６の送信モジュールと、を含む。
【００９８】
ＵＥは、
第１のサーチ空間と第２のサーチ空間と第３のサーチ空間との間に物理的にオーバーラップする領域が存在し、第１のサーチ空間内のＣＩＦを有さないＰＤＣＣＨシグナリングの長さが、第３のサーチ空間内のＣＩＦを有さないＰＤＣＣＨシグナリングの長さと等しく、かつ、第２のサーチ空間内のＣＩＦを有するＰＤＣＣＨシグナリングの長さと等しい場合、物理的にオーバーラップする領域内で、基地局によって送信された、ＣＩＦを有するＰＤＣＣＨシグナリング、又は、ＣＩＦを有さないＰＤＣＣＨシグナリングを受信するように構成された、第７の受信モジュールと、
設定された規則に従って、ＰＤＣＣＨシグナリングを解析するように構成された、第７の解析モジュールと、を含む。
【００９９】
図４は、本発明の別の実施形態による、ＰＤＣＣＨシグナリングを送信する方法のフローチャートである。この方法は、以下のステップを含む。
【０１００】
ステップ４０１：基地局は、第１のサーチ空間の位置及び第２のサーチ空間の位置を決定する。
【０１０１】
ステップ４０２：第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、基地局は、物理的にオーバーラップする領域内で、ＣＩＦを有するＰＤＣＣＨシグナリングを、ＰＤＣＣＨシグナリングに１ビットを追加した後、ＵＥに送信する。
【０１０２】
この実施形態では、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、基地局は、ＣＩＦを有するＰＤＣＣＨシグナリングに１ビットを追加してから、ＰＤＣＣＨシグナリングをＵＥに送信する必要がある。受信されたＣＩＦを有するＰＤＣＣＨシグナリングは、ＣＩＦを有さないＰＤＣＣＨシグナリングより１ビットだけ長いため、ＵＥは、より長いＰＤＣＣＨシグナリングがＣＩＦを含むことを認識し、シグナリングを適正に解析することが可能である。
【０１０３】
例えば、基地局が、現在のリソーススケジューリングモードをＵＥに通知するために使用される準静的ＲＲＣシグナリングを送信してから、ＵＥによって返されたＲＲＣ接続再設定完了シグナリングを受信するまでの期間中、及び、基地局がＵＥによって返されたＲＲＣ接続再設定完了シグナリングを受信した後に、ＵＥの現在のキャリアのＣＳＳ内の、ＣＩＦを有さない、ＤＣＩフォーマット０、又はＤＣＩフォーマット１Ａの、ＰＤＣＣＨシグナリングの長さが、ＵＥの現在のキャリアのＵＥＳＳ内の、別のフォーマットの、ＣＩＦを有するＰＤＣＣＨシグナリングの長さと等しい場合（ここで、後者のＰＤＣＣＨシグナリングは、現在のキャリアの帯域幅より小さい帯域幅の、別のキャリアをスケジュールするために使用される）、かつ、ＣＳＳとＵＥＳＳとの間に物理的にオーバーラップする領域が存在する場合（ＣＣＥレベル４、及びＣＣＥレベル８に固有）、基地局は、物理的にオーバーラップする領域内では、ＣＩＦを有するＰＤＣＣＨシグナリングを、ＰＤＣＣＨシグナリングに１ビットを追加した後、送信する。このようにして、ＵＥは、受信されたＰＤＣＣＨシグナリングがＣＩＦを含むことを認識し、ＵＥの解析エラーが防止される。
【０１０４】
第１のサーチ空間がＣＳＳであり、第２のサーチ空間がＵＥＳＳであると仮定すると、図４に示す方法では、ＣＳＳ内のＣＩＦを有さないＰＤＣＣＨシグナリングの長さが、ＵＥＳＳ内のＣＩＦを有するＰＤＣＣＨシグナリングの長さと等しい場合にのみ、１ビットが追加される。ＣＳＳとＵＥＳＳとの間に物理的にオーバーラップする領域が存在し、かつ、ＣＣＥレベル４及びＣＣＥレベル８に固有である場合、これは、オーバヘッドをほとんど発生させず、ＣＳＳ内のＣＩＦを有さないＰＤＣＣＨシグナリングの長さに影響を及ぼさない。ＣＳＳ内のＣＩＦを有さないＰＤＣＣＨシグナリングが、ＬＴＥシステムにおけるＰＤＣＣＨシグナリングのフォーマットに適合することが保証される。
【０１０５】
サーチ空間は、異なるＣＣＥレベル上で物理的に相互にオーバーラップしてもよく、異なるＣＣＥレベルは、チャネル符号の異なるレートに対応する。従って、追加された１ビットを有するＰＤＣＣＨシグナリングの長さが、特定の長さに等しい場合、異なるＣＣＥレベル上の全てのＰＤＣＣＨシグナリングが、ＵＥのＣ−ＲＮＴＩ検査を通過する、すなわち、全てのそのようなシグナリングが、ＵＥによって、そのＵＥのＰＤＣＣＨシグナリングとして解析される。しかし、基地局によって送信されるＰＤＣＣＨシグナリングは、ＣＣＥレベルのうちの１つのみを有する。従って、ＵＥはＰＤＣＣＨシグナリングを不適正に解析する。従って、この実施形態では、追加された１ビットを有するＰＤＣＣＨシグナリングの長さが、異なるＣＣＥレベル上のＰＤＣＣＨシグナリングがＵＥのＣ−ＲＮＴＩ検査を通過することを引き起こす長さに等しい場合、異なるＣＣＥレベル上のＰＤＣＣＨシグナリングがＵＥのＣ−ＲＮＴＩ検査を通過するのを防止するために、更に１つのビットが追加される必要がある。
【０１０６】
図７は、本発明の別の実施形態による、ＰＤＣＣＨシグナリングを受信する方法のフローチャートである。この方法は、以下のステップを含む。
【０１０７】
ステップ７０１：第１のサーチ空間内のＣＩＦを有さないＰＤＣＣＨシグナリングの長さが、第２のサーチ空間内のＣＩＦを有するＰＤＣＣＨシグナリングの長さと等しく、かつ、第１のサーチ空間と第２のサーチ空間との間に物理的にオーバーラップする領域が存在する場合、ＵＥは、物理的にオーバーラップする領域内で、基地局によって送信され、かつ１ビット追加された、ＣＩＦを含むＰＤＣＣＨシグナリングを受信する。
【０１０８】
ステップ７０２：ＵＥは、設定された規則に従って、ＰＤＣＣＨシグナリングを解析する。
【０１０９】
基地局によって送信されたＰＤＣＣＨシグナリングが追加された１ビットとＣＩＦとを含む場合、ＵＥは、ＣＩＦと追加された１ビットとを有するＰＤＣＣＨシグナリングを解析する規則に従って、受信されたシグナリングを解析することができる。解析の特定の規則は、ＵＥと基地局とによって予め折衝される。
【０１１０】
一実施形態では、基地局は、第１のサーチ空間の位置及び第２のサーチ空間の位置を決定し、そして、第１のサーチ空間内のＣＩＦを有さないＰＤＣＣＨシグナリングの長さが、第２のサーチ空間内のＣＩＦを有するＰＤＣＣＨシグナリングの長さと等しく、かつ、第１のサーチ空間と第２のサーチ空間との間に物理的にオーバーラップする領域が存在する場合、基地局は、ＵＥによって送信されたＲＲＣ接続再設定完了シグナリングを受信した後、物理的にオーバーラップする領域内で、ＣＩＦを有するＰＤＣＣＨシグナリングのみをＵＥに送信することができる。
【０１１１】
第１のサーチ空間はＣＳＳであり、第２のサーチ空間はＵＥＳＳである。
【０１１２】
一実施形態では、第１のサーチ空間内のＣＩＦを有さないＰＤＣＣＨシグナリングの長さが、第２のサーチ空間内のＣＩＦを有するＰＤＣＣＨシグナリングの長さと等しく、かつ、第１のサーチ空間と第２のサーチ空間との間に物理的にオーバーラップする領域が存在する場合（ここで、第１のサーチ空間内のＣＩＦを有さないＰＤＣＣＨシグナリングは第１のシグナリングであり、第２のサーチ空間内のＣＩＦを有するＰＤＣＣＨシグナリングは第２のシグナリングである）、物理的にオーバーラップする領域内で、第１のシグナリング及び第２のシグナリングのＰＤＣＣＨ内でその絶対位置が固定されている既存のビット、あるいは冗長ビット、あるいは新たに追加されたビット又は状態（によって、第１のシグナリングが第２のシグナリングと区別されてもよい。「絶対位置が固定されている」とは、このフィールドが、ＰＤＣＣＨ内に確定した位置を有することを意味する（例えば、ＣＲＣビットを除く、最後のビット等）。
【０１１３】
例えば、周波数分割複信（ＦＤＤ）システムにおいて、上りリンクキャリア帯域幅は下りリンクキャリア帯域幅と等しく、かつ、ＤＣＩフォーマットはＤＣＩフォーマット０及びＤＣＩフォーマット１Ａである。ＤＣＩフォーマット１Ａでは、ＣＲＣビットを除く最後のビットは電力コマンドフィールドのビットであり、ＤＣＩフォーマット０では、ＣＲＣビットを除く最後のビットはパディングビットであり、これはデフォルトでは０である。最後のビットが「０」であることは、ＰＤＣＣＨシグナリングが第１のシグナリングであることを意味し、最後のビットが「１」であることは、ＰＤＣＣＨシグナリングが第２のシグナリングであることを意味するよう指定されてもよい。最後のビットが意味を示す場合、すなわち、最後のビットが冗長ビットあるいはパディングビット又は状態ではない場合、このフィールドの解析は制限されてもよく、又はＰＤＣＣＨシグナリング内の別のフィールドがこのビットの意味を表すために使用されてもよく、例えば、下りリンクデータをスケジュールすることを目的とするＰＤＣＣＨシグナリング内の電力制御フィールドと意味が交換されてもよい。
【０１１４】
一実施形態では、ＣＡをサポートするシステムにおいて、上りリンク制御シグナリング（上りリンクＡＣＫ／ＮＡＣＫ、及び上りリンクチャネル状態情報を含む）は、全て、ＵＥに固有の上りリンクキャリア上でフィードバックされる。この上りリンクキャリアは上りリンクプライマリキャリアと呼ばれ、この上りリンクキャリアとペアにされた下りリンクキャリアは下りリンクプライマリキャリアと呼ばれ、ＵＥのその他の下りリンクキャリアは、下りリンク非プライマリキャリアと呼ばれる。上りリンク制御チャネルのための電力制御の方法のうちの１つは、下りリンクデータをスケジュールすることを目的とするＰＤＣＣＨシグナリング内の２ビットの電力制御コマンドフィールドを介して、この制御を実行することである。ＵＥの全ての下りリンクキャリアに対応する上りリンク制御チャネル上のデータは、上りリンクプライマリキャリア上でのみフィードバックされる。従って、下りリンクプライマリキャリアをスケジュールするためのＰＤＣＣＨシグナリング内の電力制御コマンドフィールドのみが、上りリンク制御チャネルのための電力制御を実行するために使用される必要があり、下りリンク非プライマリキャリアをスケジュールするためのＰＤＣＣＨシグナリング内の電力制御コマンドフィールドは、電力制御のためには冗長である。この冗長フィールドは、第１のシグナリングを第２のシグナリングから区別する、前述のフィールドの固有の意味を表すために使用されてもよく、かつ、固定された絶対位置を有する。ＵＥは、固定された絶対位置を有するこのフィールドを、第１のシグナリングを第２のシグナリングから区別するために使用してもよく、この冗長フィールドを解析して、このフィールドによって表される意味を取得してもよい。
【０１１５】
図８は、本発明の一実施形態による基地局の概略構成図である。基地局１は、第１の決定モジュール１１と、第１の送信モジュール１２とを含む。第１の決定モジュール１１は、第１のサーチ空間の位置及び第２のサーチ空間の位置を決定するように構成される。第１の送信モジュール１２は、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内では、ＣＩＦを有さないＰＤＣＣＨシグナリングのみをＵＥに送信するように、又は、第１のＰＤＣＣＨシグナリングが、第１のサーチ空間内のＣＩＦを有さないＰＤＣＣＨシグナリングであり、第２のＰＤＣＣＨシグナリングが第２のサーチ空間内のＣＩＦを有するＰＤＣＣＨシグナリングである場合、ＣＩＦを含むと共に１ビット追加されたＰＤＣＣＨシグナリングをＵＥに送信するように、又は、基地局が、ＲＲＣシグナリングをＵＥに送信してから、ＵＥによって返されたＲＲＣ接続再設定完了シグナリングを受信するまでの時間間隔内に、第１のＰＤＣＣＨシグナリング及び第２のＰＤＣＣＨシグナリング以外の別のタイプのＰＤＣＣＨをＵＥに送信し、基地局がＵＥによって返されたＲＲＣ接続再設定完了シグナリングを受信した後、ＣＩＦを有するＰＤＣＣＨシグナリングのみをＵＥに送信するように構成される。
【０１１６】
一実施形態では、基地局は、
ＵＥの第１のサーチ空間の位置及び第２のサーチ空間の位置を決定するように構成された、第３の決定モジュールと、
第３の決定モジュールが、ＵＥの第１のサーチ空間の位置及び第２のサーチ空間の位置を決定した後、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、ＵＥによって送信されたＲＲＣ接続再設定完了シグナリングを受信した後、物理的にオーバーラップする領域内では、ＣＩＦを有するＰＤＣＣＨシグナリングのみをＵＥに送信するように構成された、第３の送信モジュールと、を含んでもよい。
【０１１７】
第１のサーチ空間はＣＳＳであり、第２のサーチ空間はＵＥＳＳである。
【０１１８】
図９は、本発明の別の実施形態による基地局の概略構成図である。基地局１は、第２の決定モジュール１３と、第２の送信モジュール１４とを含む。第２の決定モジュール１３は、第１のサーチ空間の位置及び第２のサーチ空間の位置を決定するように構成される。第２の送信モジュール１４は、第２の決定モジュールがＵＥの第１のサーチ空間の位置及び第２のサーチ空間の位置を決定した後、第１のサーチ空間内の第１のＰＤＣＣＨシグナリングの長さが第２のサーチ空間内の第２のＰＤＣＣＨシグナリングの長さと等しく（ここで、第１のＰＤＣＣＨシグナリングはＣＩＦを有さないＰＤＣＣＨシグナリングであり、第２のＰＤＣＣＨシグナリングはＣＩＦを有するＰＤＣＣＨシグナリングであり）、かつ、第１のサーチ空間と第２のサーチ空間との間に物理的にオーバーラップする領域が存在する場合、ＲＲＣシグナリングをＵＥに送信してから、ＵＥによって返されたＲＲＣ接続再設定完了シグナリングを受信するまでの時間間隔内に、物理的にオーバーラップする領域内では、第３のＰＤＣＣＨシグナリング又は第４のＰＤＣＣＨシグナリングをＵＥに送信するように構成され、ここで、第３のＰＤＣＣＨシグナリングはＣＩＦを有さないＰＤＣＣＨシグナリングであり、第４のＰＤＣＣＨシグナリングはＣＩＦを有するＰＤＣＣＨシグナリングであり、ここで、第３のＰＤＣＣＨシグナリングの長さは第４のＰＤＣＣＨシグナリングの長さと等しくなく、第３のＰＤＣＣＨシグナリングの長さは第１のＰＤＣＣＨシグナリングの長さと異なり、第４のＰＤＣＣＨシグナリングの長さは第１のＰＤＣＣＨシグナリングの長さと異なる。
【０１１９】
図９に示す実施形態において、第１のサーチ空間及び第２のサーチ空間は、ＵＥの異なるＣＣをスケジュールするために使用される２つのＵＥＳＳを含む。
【０１２０】
図１０は、本発明の一実施形態によるＵＥの概略構成図である。ＵＥ２は、受信モジュール２１と、解析モジュール２２とを含む。受信モジュール２１は、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内で、ＣＩＦを有さないＰＤＣＣＨシグナリングを受信するように、又は、ＣＩＦを含むと共に１ビット追加された、基地局によって送信されたＰＤＣＣＨシグナリングを受信するように構成される。解析モジュール２２は、ＣＩＦを有さないＰＤＣＣＨシグナリングを解析する設定された規則のみに従って、受信モジュール２１によって受信されたＰＤＣＣＨシグナリングを解析するように、又は、ＵＥがＲＲＣシグナリングを適正に解析した後、基地局によって送信されたＣＩＦを有するＰＤＣＣＨのみを受信するように構成される。
【０１２１】
一実施形態では、ＵＥは、
第１のサーチ空間と第２のサーチ空間との間に物理的にオーバーラップする領域が存在し、かつ、ＵＥの第１のサーチ空間内のＣＩＦを有さないＰＤＣＣＨシグナリングの長さが、ＵＥの第２のサーチ空間内のＣＩＦを有するＰＤＣＣＨシグナリングの長さと等しい場合、ＵＥが基地局からのＲＲＣシグナリングを適正に解析した後、物理的にオーバーラップする領域内で、ＣＩＦを有するＰＤＣＣＨシグナリングを受信するように構成された、第２の受信モジュールと、
ＣＩＦを有するＰＤＣＣＨシグナリングを解析する設定された規則のみに従って、受信モジュールによって受信されたＣＩＦを有するＰＤＣＣＨシグナリングを解析するように構成された、第２の解析モジュールと、を更に含んでもよい。
【０１２２】
本発明の一実施形態においては通信システムが提供される。この通信システムは、図８に示す基地局と、図１０に示すＵＥとを含んでもよく、基地局は、上記の方法実施形態で説明した方法を使用することによって、ＰＤＣＣＨシグナリングをＵＥに送信し、ＵＥは、上記の方法実施形態で説明した方法を使用することによって、ＰＤＣＣＨシグナリングを基地局から受信する。
【０１２３】
本発明の一実施形態においては別の通信システムも提供される。この通信システムは、基地局と、図９に示すＵＥとを含んでもよく、基地局は、上記の方法実施形態で説明した方法を使用することによって、ＰＤＣＣＨシグナリングをＵＥに送信し、ＵＥは、従来技術に従って、ＰＤＣＣＨシグナリングを基地局から受信する。
【０１２４】
本明細書中で提供される基地局及びＵＥを使用すれば、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、基地局は、物理的にオーバーラップする領域内では、ＣＩＦを有さないＰＤＣＣＨシグナリングを、ＵＥに送信するように制限される。
【０１２５】
あるいは、基地局は、ＲＲＣシグナリングをＵＥに送信してから、ＵＥによって返されたＲＲＣ接続再設定完了シグナリングを受信するまでの時間間隔内に、第１のＰＤＣＣＨシグナリング及び第２のＰＤＣＣＨシグナリング以外の別のタイプのＰＤＣＣＨシグナリングをＵＥに送信し、基地局は、ＵＥによって返されたＲＲＣ接続再設定完了シグナリングを受信した後、ＣＩＦを有するＰＤＣＣＨシグナリングをＵＥに送信する。
【０１２６】
あるいは、基地局は、第１のサーチ空間と第２のサーチ空間との間に物理的にオーバーラップする領域が存在し、かつ、第１のサーチ空間内のＣＩＦを有さない第１のＰＤＣＣＨシグナリングの長さが、第２のサーチ空間内のＣＩＦを有する第２のＰＤＣＣＨシグナリングの長さと等しい場合、準静的ＲＲＣシグナリングを送信してから、ＵＥによって返されたＲＲＣ接続再設定完了シグナリングを受信するまでの時間間隔内に、物理的にオーバーラップする領域内では、第１のＰＤＣＣＨシグナリング及び第２のＰＤＣＣＨシグナリング以外の別のタイプのＰＤＣＣＨシグナリングを、ＵＥに送信する。このようにして基地局のスケジューリングの不確定性が防止され、ＵＥの解析エラーが防止される。
【０１２７】
一実施形態では、基地局は、第１のサーチ空間の位置及び第２のサーチ空間の位置を決定し、基地局は、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内では、ＣＩＦを有するＰＤＣＣＨシグナリングを、ＵＥに送信する。
【０１２８】
ＵＥは、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内で、基地局によって送信された、ＣＩＦを有するＰＤＣＣＨシグナリングを受信し、設定された規則に従って、ＰＤＣＣＨシグナリングを解析する。
【０１２９】
基地局によって送信されたＰＤＣＣＨシグナリングがＣＩＦを含む場合、ＵＥはシグナリングを受信した後、ＣＩＦを有するＰＤＣＣＨシグナリングを解析する規則に従って、ＰＤＣＣＨシグナリングを解析することができる。解析の特定の規則は、ＵＥと基地局とによって予め折衝される。
【０１３０】
前述の実施形態において、基地局は、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、ＣＩＦを有するＰＤＣＣＨシグナリングをＵＥに送信する必要がある。このようにして、ＣＩＦを有するＰＤＣＣＨシグナリングのみがＵＥに送信され、ＵＥでは、物理的にオーバーラップする領域内で受信されたＰＤＣＣＨシグナリングがＣＩＦを含み、ＰＤＣＣＨシグナリング内で割り当てられるリソースが、確かにそのＰＤＣＣＨシグナリングを運ぶために使用されたキャリアに由来するリソースであることがわかるので、ＵＥがシグナリングを不適正に解析することが防止される。
【０１３１】
例えば、基地局が現在のリソーススケジューリングモードをＵＥに通知するために使用される準静的ＲＲＣシグナリングを送信してから、ＵＥによって返されたＲＲＣ接続再設定完了シグナリングを受信するまでの期間中、及び、基地局がＵＥによって返されたＲＲＣ接続再設定完了シグナリングを受信した後に、ＰＤＣＣＨシグナリングを運ぶために使用される、ＵＥにおける現在のキャリアのＣＳＳ内の、ＤＣＩフォーマット０、又はＤＣＩフォーマット１Ａの、ＣＩＦを有さないＰＤＣＣＨシグナリングの長さが、現在のキャリア上の、ＵＥのＵＥＳＳ内の、別のフォーマットの、ＣＩＦを有するＰＤＣＣＨシグナリングの長さと等しい場合（ここで、ＣＩＦを有するＰＤＣＣＨシグナリングは、現在のキャリア上の帯域幅より小さい帯域幅の、別のキャリアをスケジュールするために使用される）、かつ、ＣＳＳとＵＥＳＳとの間に物理的にオーバーラップする領域が存在する場合、基地局は、物理的にオーバーラップする領域内では、ＣＩＦを有さないＰＤＣＣＨシグナリングを送信し、そのＰＤＣＣＨシグナリングは、ＵＥに固有のリソース割り当て情報を運ぶ。一実施形態では、ＵＥと基地局とは、物理的にオーバーラップする領域内で送信される全てのＰＤＣＣＨシグナリングが、ＣＩＦを含まないことを、予め折衝してもよい。従って、ＰＤＣＣＨシグナリングを受信した後、ＵＥでは、ＰＤＣＣＨシグナリングがＣＩＦを含まず、ＰＤＣＣＨシグナリング内で割り当てられるリソースが、確かにそのＰＤＣＣＨシグナリングを運ぶために使用されたキャリアに由来するリソースであることがわかるので、ＵＥがシグナリングを不適正に解析することが防止される。
【０１３２】
第１のサーチ空間はＣＳＳであってもよく、第２のサーチ空間はＵＥＳＳであり、第１のサーチ空間及び第２のサーチ空間のＣＣＥレベルは４又は８である。あるいは、第１のサーチ空間及び第２のサーチ空間は、ＵＥの異なるＣＣをスケジュールするために使用される２つのＵＥＳＳを含む。
【０１３３】
第１のサーチ空間がＣＳＳであり、第２のサーチ空間がＵＥＳＳである場合、図２に示す方法が適用可能であり、これは、第１のサーチ空間内でＰＤＣＣＨシグナリングが検査される回数を増加させない。加えて、第２のサーチ空間のスケジューリングの自由度は、第１のサーチ空間のスケジューリングの自由度より大きい（第２のサーチ空間は、クロスキャリアスケジューリングを実施することが可能であるが、第１のサーチ空間は、同一キャリアスケジューリングのみを許可するため）。従って、この解決法は第２のサーチ空間のスケジューリングの自由度を完全に確保し、第２のサーチ空間に対していかなるスケジューリングの制約も課さない。
【０１３４】
本発明の一実施形態で提供される基地局は、
ＵＥの第１のサーチ空間の位置及び第２のサーチ空間の位置を決定するように構成された、第４の決定モジュールと、
第４の決定モジュールが、ＵＥの第１のサーチ空間の位置及び第２のサーチ空間の位置を決定した後、第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内で、ＣＩＦを有するＰＤＣＣＨシグナリング、又は、ＣＩＦを有さないＰＤＣＣＨシグナリングを、ＵＥに送信するように構成された、第４の送信モジュールと、を含む。
【０１３５】
本発明の一実施形態で提供されるＵＥは、
第１のサーチ空間と第２のサーチ空間との間に物理的にオーバーラップする領域が存在し、かつ、第１のサーチ空間内のＣＩＦを有さないＰＤＣＣＨシグナリングの長さが、第２のサーチ空間内のＣＩＦを有するＰＤＣＣＨシグナリングの長さと等しい場合、物理的にオーバーラップする領域内で、基地局によって送信された、ＣＩＦを有するＰＤＣＣＨシグナリング、又は、ＣＩＦを有さないＰＤＣＣＨシグナリングを受信するように構成された、第４の受信モジュールと、
設定された規則に従って、受信モジュールによって受信されたＰＤＣＣＨシグナリングを解析するように構成された、第４の解析モジュールと、を含む。
【０１３６】
当業者は、本発明の実施形態における方法のステップの全て又は一部が、関連するハードウェアに指示するプログラムによって実施されてもよいということを理解するであろう。プログラムは、コンピュータ読み取り可能な記憶媒体内に記憶されてもよい。プログラムが実行された場合、プログラムは、本発明の実施形態における方法のステップを実行する。記憶媒体は、読み取り専用メモリ（ＲＯＭ）、ランダムアクセスメモリ（ＲＡＭ）、磁気ディスク、又はコンパクトディスク読み取り専用メモリ（ＣＤ−ＲＯＭ）などの、プログラムコードを記憶することが可能な任意の媒体であってもよい。
【０１３７】
最後に、上記の実施形態は、本発明の技術的解決法を説明するために提供されたものにすぎず、本発明を限定することを意図するものではないということに留意されたい。当業者が本発明の精神及び範囲を逸脱することなく、本発明に対して様々な修正、変形、及び置換を行うことが可能であることは明らかである。本発明は、それらの修正、変形、及び置換が、特許請求の範囲又はその均等物によって規定される保護範囲内に入るならば、それらの修正、変形、及び置換を包含することを意図するものである。
【図１】
0005469751.tif 000002
【図２】
0005469751.tif 000003
【図３】
0005469751.tif 000004
【図４】
0005469751.tif 000005
【図５】
0005469751.tif 000006
【図６】
0005469751.tif 000007
【図７】
0005469751.tif 000008
【図８】
0005469751.tif 000009
【図９】
0005469751.tif 000010
【図１０】
0005469751.tif 000011